(57)【要約】      （修正有）【課題】歯形模型切断の際に発生するおそれのあるダウエルピンの切断を少なくすることができる歯科技工用作業模型を提供すること。【解決手段】歯形模型４が固定される固定用プレート６と、固定用プレート６に植設された複数の第１及び第２ダウエルピン９，１１と、固定用プレート６を支持するための支持基台１０とを備えた歯科技工用作業模型。支持基台１０の支持領域１８には、複数の第１及び第２ダウエルピン９，１１に対応して複数の第１及び第２挿入孔２１，２２が設けられ、この支持領域１８の片側側部及び他側側部には、片側係合突条２６及び他側係合突条２８が設けられ、片側係合突条２６の内側面には、複数の第２ダウエルピン１１に対応して複数の係合補助突条３０が設けられ、更に複数の第１及び第２挿入孔２１，２２は、この支持領域１８の幅方向の中央線よりも他側に配置されている。【選択図】図３
2019025283.tif 000002
【特許請求の範囲】
【請求項１】
歯形模型が固定される固定用プレートと、前記固定用プレートに植設された第１ダウエルピン列と、前記第１ダウエルピン列の内側にて前記固定用プレートに植設された第２ダウエルピン列と、前記固定用プレートを支持するための支持基台と、を備え、前記第１ダウエルピン列は、間隔を置いて配設された複数の第１ダウエルピンから構成され、前記第２ダウエルピン列は、前記複数の第１ダウエルピンに対応して配設された複数の第２ダウエルピンから構成された歯科技工用作業模型であって、
前記支持基台の上面に設けられた支持領域には、前記第１ダウエルピン列に対応して第１挿入孔列が設けられているとともに、前記第２ダウエルピン列に対応して第２挿入孔列が設けられており、
前記第１挿入孔列は、前記第１ダウエルピン列の前記複数の第１ダウエルピンに対応して設けられた複数の第１挿入孔から構成され、前記第２挿入孔列は、前記第２ダウエルピン列の前記複数の第２ダウエルピンに対応して設けられた複数の第２挿入孔から構成されており、
前記支持基台における前記支持領域の片側側部及び他側側部には、上方に突出する片側係合突条及び他側係合突条が設けられ、前記片側係合突条の内側面には、前記第２ダウエルピン列の前記複数の第２ダウエルピンに対応して複数の係合補助突条が設けられており、
また、前記固定用プレートの下面には、前記支持領域の前記片側係合突条及び他側係合突条に対応して片側係合凹条及び他側係合凹条が設けられているとともに、前記支持領域の前記複数の係合補助突条に対応して複数の係合補助凹条が設けられており、
更に、前記第１及び第２挿入孔列の前記複数の第１及び第２挿入孔は、前記支持基台における前記支持領域の幅方向の中央線よりも他側に配置され、前記支持領域の前記複数の係合補助突条は、前記第２挿入孔列の対応する第２挿入孔に向けて内側に延び、前記固定用プレートの前記複数の係合補助凹条は、前記第２ダウエルピン列の対応する第２ダウエルピンに向けて延びていることを特徴とする歯科技工用作業模型。
【請求項２】
歯形模型が固定される固定用プレートと、前記固定用プレートに植設された第１ダウエルピン列と、前記第１ダウエルピン列の内側にて前記固定用プレートに植設された第２ダウエルピン列と、前記固定用プレートを支持するための支持基台と、を備え、前記第１ダウエルピン列は、間隔を置いて配設された複数の第１ダウエルピンから構成され、前記第２ダウエルピン列は、前記複数の第１ダウエルピンに対応して配設された複数の第２ダウエルピンから構成された歯科技工用作業模型であって、
前記支持基台の上面に設けられた支持領域には、前記第１ダウエルピン列に対応して第１挿入孔列が設けられているとともに、前記第２ダウエルピン列に対応して第２挿入孔列が設けられており、
前記第１挿入孔列は、前記第１ダウエルピン列の前記複数の第１ダウエルピンに対応して設けられた複数の第１挿入孔から構成され、前記第２挿入孔列は、前記第２ダウエルピン列の前記複数の第２ダウエルピンに対応して設けられた複数の第２挿入孔から構成されており、
前記支持基台における前記支持領域の片側側部及び他側側部には、上方に突出する片側係合突条及び他側係合突条が設けられ、前記片側係合突条の内側面には、前記第２ダウエルピン列の前記複数の第２ダウエルピンに対応して複数の係合補助突条が設けられており、
また、前記固定用プレートの下面には、前記支持領域の前記片側係合突条及び他側係合突条に対応して片側係合凹条及び他側係合凹条が設けられているとともに、前記支持領域の前記複数の係合補助突条に対応して複数の係合補助凹条が設けられており、
更に、前記第１挿入孔列の前記複数の第１挿入孔は、前記支持基台の前記支持領域における前記他側係合突条の内側に配設され、前記第２挿入孔列の前記複数の第２挿入孔は、前記支持基台における前記支持領域の幅方向の中央線上に配置され、前記支持領域の前記複数の係合補助突条は、前記第２挿入孔列の対応する第２挿入孔に向けて内側に延び、前記固定用プレートの前記複数の係合補助凹条は、前記第２ダウエルピン列の対応する第２ダウエルピンに向けて延びていることを特徴とする歯科技工用作業模型。
【請求項３】
前記歯形模型は全顎タイプであり、これに対応して、前記支持基台の前記支持領域は弧状に延びており、前記複数の係合補助突条のうち前記支持基台における前記支持領域の両端部側に位置する複数の第１係合補助突条は、前記複数の係合補助突条のうち残りの複数の第２係合補助突条よりも内側に長く延びていることを特徴とする請求項１又は２に記載の歯科技工用作業模型。
【請求項４】
前記複数の第１係合補助突条は内側に曲線状に延び、前記複数の第２係合補助突条は内側に直線状に延びていることを特徴とする請求項３に記載の歯科技工用作業模型。
【請求項５】
前記歯形模型は全顎タイプであり、これに対応して、前記支持基台の前記支持領域は弧状に延びており、前記複数の係合補助突条のうち前記支持基台における前記支持領域の両端部側に位置する複数の第１係合補助突条は、前記第２挿入孔列の対応する第２挿入孔に向けて内側に延びる第１突条本体部と、前記第１突条本体部から前記他側係合突条側に向けて両側に分岐して又は前記第１突条本体部から前記片側係合突条側に向けて両側に分岐して延びる一対の第１分岐突条部とを有し、前記複数の係合補助突条のうち残りの複数の第２係合補助突条は、対応する第２挿入孔に向けて内側に延びていることを特徴とする請求項１又は２に記載の歯科技工用作業模型。
【請求項６】
前記複数の第２係合補助突条は、前記第２挿入孔列の対応する第２挿入孔に向けて内側に延びる第２突条本体部と、前記第２突条本体部から前記他側係合突条側に向けて両側に分岐して又は前記第２突条本体部から前記片側係合突条側に向けて両側に分岐して延びる一対の第２分岐突条部とを有していることを特徴とする請求項５に記載の歯科技工用作業模型。
【請求項７】
前記第１ダウエルピン列の前記複数の第１ダウエルピンの外径は、前記第２ダウエルピン列の前記複数の第２ダウエルピンの外径と等しい又はこれよりも大きいことを特徴とする請求項１又は２に記載の歯科技工用作業模型。
【請求項８】
前記歯形模型は部分タイプであり、これに対応して、前記支持基台の前記支持領域は横長に形成されており、前記複数の係合補助突条は、前記支持基台の前記支持領域における前記第２挿入孔列の対応する第２挿入孔に向けて内側に直線状に延びていることを特徴とする請求項１又は２に記載の歯科技工用作業模型。
【請求項９】
前記複数の係合補助突条は、前記第２挿入孔列の対応する第２挿入孔に向けて内側に延びる突条本体部と、前記突条本体部から前記他側係合突条側に向けて両側に分岐して又は前記突条本体部から前記片側係合突条側に向けて両側に分岐して延びる一対の分岐突条部とを有していることを特徴とする請求項８に記載の歯科技工用作業模型。
【請求項１０】
前記支持基台における前記片側係合突条の前記内側面には、前記複数の係合補助突条間において内側に向けて下方に傾斜する片側傾斜突部が設けられ、前記支持基台における前記他側係合突条の内側面には、内側に向けて下方に傾斜する他側傾斜突部が設けられ、また前記固定用プレートの下面には、前記支持基台側の前記片側傾斜突部及び前記他側傾斜突部に対応して片側傾斜凹部及び他側傾斜凹部が設けられていることを特徴とする請求項１又は２に記載の歯科技工用作業模型。
【請求項１１】
前記支持基台における前記片側傾斜突部には、前記片側係合突条に沿って間隔をおいて複数の片側係合凹部が設けられ、前記支持基台における前記他側傾斜突部には、前記他側係合突条に沿って間隔をおいて複数の他側係合凹部が設けられ、また前記固定用プレートにおける前記片側傾斜凹部には、前記複数の片側係合凹部に対応して複数の片側係合突部が設けられ、前記固定用プレートにおける前記他側傾斜凹部には、前記複数の他側係合凹部に対応して複数の他側係合突部が設けられていることを特徴とする請求項１０に記載の歯科技工用作業模型。
【請求項１２】
歯形模型が固定される固定用プレートを支持するための合成樹脂から形成された支持基台本体を備えた歯科技工用作業模型の支持基台であって、
前記支持基台本体には、第１ダウエルピン列に対応して第１挿入孔列が配設されているとともに、前記第１ダウエルピン列の内側に配置される第２ダウエルピン列に対応して第２挿入孔列が配設されており、
前記第１挿入孔列は、前記第１ダウエルピン列の複数の第１ダウエルピンに対応して設けられた複数の第１挿入孔から構成され、前記第２挿入孔列は、前記第２ダウエルピン列の複数の第２ダウエルピンに対応して設けられた複数の第２挿入孔から構成されており、
また、前記支持基台における前記支持領域の片側側部及び他側側部には、上方に突出する片側係合突条及び他側係合突条が設けられ、前記片側係合突条の内側面には、前記第２挿入孔列の前記複数の第２挿入孔に対応して複数の係合補助突条が設けられており、
更に、前記第１及び第２挿入孔列の前記複数の第１及び第２挿入孔は、前記支持基台における前記支持領域の幅方向の中央線よりも他側に配置され、前記支持領域の前記複数の係合補助突条は、前記第２挿入孔列の対応する第２挿入孔に向けて内側に延びていることを特徴とする歯科技工用作業模型の支持基台。
【請求項１３】
歯形模型が固定される固定用プレートを支持するための合成樹脂から形成された支持基台本体を備えた歯科技工用作業模型の支持基台であって、
前記支持基台本体には、第１ダウエルピン列に対応して第１挿入孔列が配設されているとともに、前記第１ダウエルピン列の内側に配置される第２ダウエルピン列に対応して第２挿入孔列が配設されており、
前記第１挿入孔列は、前記第１ダウエルピン列の複数の第１ダウエルピンに対応して設けられた複数の第１挿入孔から構成され、前記第２挿入孔列は、前記第２ダウエルピン列の複数の第２ダウエルピンに対応して設けられた複数の第２挿入孔から構成されており、
また、前記支持基台における前記支持領域の片側側部及び他側側部には、上方に突出する片側係合突条及び他側係合突条が設けられ、前記片側係合突条の内側面には、前記第２挿入孔列の前記複数の第２挿入孔に対応して複数の係合補助突条が設けられており、
更に、前記第１挿入孔列の前記複数の第１挿入孔は、前記支持基台の前記支持領域における前記他側係合突条の内側に配設され、前記第２挿入孔列の前記複数の第２挿入孔は、前記支持基台における前記支持領域の幅方向の中央線上に配置され、前記支持領域の前記複数の係合補助突条は、前記第２挿入孔列の対応する第２挿入孔に向けて内側に延びていることを特徴とする歯科技工用作業模型の支持基台。
【請求項１４】
前記歯形模型は全顎タイプであり、これに対応して、前記支持基台本体の前記支持領域は弧状に延びており、前記複数の係合補助突条のうち前記支持基台本体における前記支持領域の両端部側に位置する複数の第１係合補助突条は、前記複数の係合補助突条のうち残りの複数の第２係合補助突条よりも内側に長く延びていることを特徴とする請求項１２又は１３に記載の歯科技工用作業模型の支持基台。
【請求項１５】
前記歯形模型は全顎タイプであり、これに対応して、前記支持基台本体の前記支持領域は弧状に延びており、前記複数の係合補助突条のうち前記支持基台本体における前記支持領域の両端部側に位置する複数の第１係合補助突条は、前記第２挿入孔列の対応する第２挿入孔に向けて内側に延びる第１突条本体部と、前記第１突条本体部から前記他側係合突条側に向けて両側に分岐して又は前記第１突条本体部から前記片側係合突条側に向けて両側に分岐して延びる一対の第１分岐突条部とを有し、前記複数の係合補助突条のうち残りの複数の第２係合補助突条は、対応する第２挿入孔に向けて内側に延びていることを特徴とする請求項１２又は１３に記載の歯科技工用作業模型の支持基台。
【請求項１６】
前記複数の第２係合補助突条は、前記第２挿入孔列の対応する第２挿入孔に向けて内側に延びる第２突条本体部と、前記第２突条本体部から前記他側係合突条側に向けて両側に分岐して又は前記第２突条本体部から前記片側係合突条側に向けて両側に分岐して延びる一対の第２分岐突条部とを有していることを特徴とする請求項１５に記載の歯科技工用作業模型。
【請求項１７】
前記歯形模型は部分タイプであり、これに対応して、前記支持基台の前記支持領域は横長に形成されており、前記複数の係合補助突条は、対応する第２挿入孔に向けて内側に延びる突条本体部と、前記突条本体部から前記他側係合突条側に向けて両側に分岐して又は前記突条本体部から前記片側係合突条側に向けて両側に分岐して延びる一対の分岐突条部とを有していることを特徴とする請求項１２又は１３に記載の歯科技工用作業模型。
【発明の詳細な説明】
【技術分野】
【０００１】
本発明は、歯科治療などにおいて用いられる歯科技工用作業模型及びその支持基台に関する。
【背景技術】
【０００２】
一般に、歯科治療などにおいて用いられる歯科技工用作業模型は、歯形模型が固定される固定用プレートと、固定用プレートに植設された一対のダウエルピン列（第１及び第２ダウエルピン列）と、固定用プレートを支持するための支持基台とを備えている（例えば、特許文献１参照）。支持基台は合成樹脂から形成され、この支持基台の上面には、固定用プレートを支持するための支持領域が設けられ、この支持領域に間隔をおいて一対の挿入孔列（第１及び第２挿入孔列）が設けられているとともに、その片側側部及び他側側部には、上方に突出する片側係合突条及び他側係合突条が設けられている。また、固定用プレートは石膏から形成され、その下面には、支持基台側の片側係合突条及び他側係合突条に対応して片側係合凹条及び他側係合凹条が設けられている。
【０００３】
この歯科技工用作業模型においては、固定用プレート側の第１及び第２ダウエルピン列の複数の第１及び第２ダウエルピンを支持基台側の第１及び第２挿入孔列における対応する第１及び第２挿入孔に挿入すると、固定用プレートが支持基台の支持領域に支持される。この支持状態では、第１及び第２ダウエルピン列の第１及び第２ダウエルピンが第１及び第２挿入孔列における対応する第１及び第２挿入孔に挿入され、更に支持基台側の片側係合突条及び他側係合突条と固定用プレート側の片側係合凹条及び他側係合凹条とが係脱自在に係合される。
【０００４】
そして、このように固定用プレートを装着した状態において、この固定用プレートの上面に接着剤などにより歯形模型が固着され、かく固着した状態にて歯形模型の所定部位が固定用プレートとともに切断され、切断された歯形模型を用いて所要の歯科技工作業（例えば、歯冠補綴物の製作など）が行われる。このとき、切断された固定プレート側の第１及び第２ダウエルピンが対応する第１及び第２挿入孔に挿入されるとともに、この固定プレート側の片側係合凹条及び他側係合凹条と支持基台側の片側係合突条及び他側係合突条とが相互に係合するので、切断した固定用プレートの支持基台に対する回転が抑制され、これにより、歯科技工作業（例えば、歯冠補綴物の製作など）を高精度に且つ確実に行うことができる。
【先行技術文献】
【特許文献】
【０００５】
【特許文献１】特開２０１１−２２０６２６号公報
【発明の概要】
【発明が解決しようとする課題】
【０００６】
しかしながら、上述のような従来の歯科技工用作業模型では、第１挿入列孔（複数の第１挿入孔）が支持基台における支持領域の幅方向の中央線よりも他側（他側係合突条が配設された側）に配設され、第２挿入孔列（複数の第２挿入孔）がこの支持領域の幅方向の中央線よりも片側（片側係合突条が配設された側）に配設されている（換言すると、第１挿入孔列に固定用プレート側の第１ダウエルピン列が挿入され、第２挿入孔列にその第２ダウエルピン列が挿入される）ので、歯科技工作業の切断の際に第１及び第２ダウエルピン列、特に第２ダウエルピン列の複数の第２ダウエルピンを切断するおそれがあった。
【０００７】
特に、歯形模型が全顎タイプの場合、固定用プレートには、歯の数に対応して、第１ダウエルピン列において１４本の第１ダウエルピンが設けられ、また第２ダウエルピン列において１４本の第２ダウエルピンが設けられ、またこのことに関連して、支持基台には、第１ダウエルピン列（１４本の第１ダウエルピン）に対応して第１挿入孔列（１４個の第１挿入孔）が設けられ、また第２ダウエルピン列（１４本の第２ダウエルピン）に対応して第２挿入孔列（１４個の第２挿入孔）が設けられる。
【０００８】
このような構成では、この支持基台における支持領域の長手方向の中央部及びその近傍では、隣接する第２ダウエルピン（及び第１ダウエルピン）の間隔が狭くなり、それ故に、切断の際に作業ミスにより第２ダウエルピン（又は第１ダウエルピン）を切断し易くなる。切断作業中に第２ダウエルピン（第１ダウエルピン）を切断すると、この歯科技工作業を最初からやらなければならず、歯形模型を再度取り直しするようになる。
【０００９】
本発明の目的は、歯形模型切断の際に発生するおそれのあるダウエルピン（第１又は第２ダウエルピン）の切断を少なくすることができる歯科技工用作業模型及びその支持基台を提供することである。
【課題を解決するための手段】
【００１０】
本発明の請求項１に記載の歯科技工用作業模型は、歯形模型が固定される固定用プレートと、前記固定用プレートに植設された第１ダウエルピン列と、前記第１ダウエルピン列の内側にて前記固定用プレートに植設された第２ダウエルピン列と、前記固定用プレートを支持するための支持基台と、を備え、前記第１ダウエルピン列は、間隔を置いて配設された複数の第１ダウエルピンから構成され、前記第２ダウエルピン列は、前記複数の第１ダウエルピンに対応して配設された複数の第２ダウエルピンから構成された歯科技工用作業模型であって、
前記支持基台の上面に設けられた支持領域には、前記第１ダウエルピン列に対応して第１挿入孔列が設けられているとともに、前記第２ダウエルピン列に対応して第２挿入孔列が設けられており、
前記第１挿入孔列は、前記第１ダウエルピン列の前記複数の第１ダウエルピンに対応して設けられた複数の第１挿入孔から構成され、前記第２挿入孔列は、前記第２ダウエルピン列の前記複数の第２ダウエルピンに対応して設けられた複数の第２挿入孔から構成されており、
前記支持基台における前記支持領域の片側側部及び他側側部には、上方に突出する片側係合突条及び他側係合突条が設けられ、前記片側係合突条の内側面には、前記第２ダウエルピン列の前記複数の第２ダウエルピンに対応して複数の係合補助突条が設けられており、
また、前記固定用プレートの下面には、前記支持領域の前記片側係合突条及び他側係合突条に対応して片側係合凹条及び他側係合凹条が設けられているとともに、前記支持領域の前記複数の係合補助突条に対応して複数の係合補助凹条が設けられており、
更に、前記第１及び第２挿入孔列の前記複数の第１及び第２挿入孔は、前記支持基台における前記支持領域の幅方向の中央線よりも他側に配置され、前記支持領域の前記複数の係合補助突条は、前記第２挿入孔列の対応する第２挿入孔に向けて内側に延び、前記固定用プレートの前記複数の係合補助凹条は、前記第２ダウエルピン列の対応する第２ダウエルピンに向けて延びていることを特徴とする。
【００１１】
また、本発明の請求項２に記載の歯科技工用作業模型は、歯形模型が固定される固定用プレートと、前記固定用プレートに植設された第１ダウエルピン列と、前記第１ダウエルピン列の内側にて前記固定用プレートに植設された第２ダウエルピン列と、前記固定用プレートを支持するための支持基台と、を備え、前記第１ダウエルピン列は、間隔を置いて配設された複数の第１ダウエルピンから構成され、前記第２ダウエルピン列は、前記複数の第１ダウエルピンに対応して配設された複数の第２ダウエルピンから構成された歯科技工用作業模型であって、
前記支持基台の上面に設けられた支持領域には、前記第１ダウエルピン列に対応して第１挿入孔列が設けられているとともに、前記第２ダウエルピン列に対応して第２挿入孔列が設けられており、
前記第１挿入孔列は、前記第１ダウエルピン列の前記複数の第１ダウエルピンに対応して設けられた複数の第１挿入孔から構成され、前記第２挿入孔列は、前記第２ダウエルピン列の前記複数の第２ダウエルピンに対応して設けられた複数の第２挿入孔から構成されており、
前記支持基台における前記支持領域の片側側部及び他側側部には、上方に突出する片側係合突条及び他側係合突条が設けられ、前記片側係合突条の内側面には、前記第２ダウエルピン列の前記複数の第２ダウエルピンに対応して複数の係合補助突条が設けられており、
また、前記固定用プレートの下面には、前記支持領域の前記片側係合突条及び他側係合突条に対応して片側係合凹条及び他側係合凹条が設けられているとともに、前記支持領域の前記複数の係合補助突条に対応して複数の係合補助凹条が設けられており、
更に、前記第１挿入孔列の前記複数の第１挿入孔は、前記支持基台の前記支持領域における前記他側係合突条の内側に配設され、前記第２挿入孔列の前記複数の第２挿入孔は、前記支持基台における前記支持領域の幅方向の中央線上に配置され、前記支持領域の前記複数の係合補助突条は、前記第２挿入孔列の対応する第２挿入孔に向けて内側に延び、前記固定用プレートの前記複数の係合補助凹条は、前記第２ダウエルピン列の対応する第２ダウエルピンに向けて延びていることを特徴とする。
【００１２】
また、本発明の請求項３に記載の歯科技工用作業模型では、前記歯形模型は全顎タイプであり、これに対応して、前記支持基台の前記支持領域は弧状に延びており、前記複数の係合補助突条のうち前記支持基台における前記支持領域の両端部側に位置する複数の第１係合補助突条は、前記複数の係合補助突条のうち残りの複数の第２係合補助突条よりも内側に長く延びていることを特徴とする。
【００１３】
また、本発明の請求項４に記載の歯科技工用作業模型では、前記複数の第１係合補助突条は内側に曲線状に延び、前記複数の第２係合補助突条は内側に直線状に延びていることを特徴とする。
【００１４】
また、本発明の請求項５に記載の歯科技工用作業模型では、前記歯形模型は全顎タイプであり、これに対応して、前記支持基台の前記支持領域は弧状に延びており、前記複数の係合補助突条のうち前記支持基台における前記支持領域の両端部側に位置する複数の第１係合補助突条は、前記第２挿入孔列の対応する第２挿入孔に向けて内側に延びる第１突条本体部と、前記第１突条本体部から前記他側係合突条側に向けて両側に分岐して又は前記第１突条本体部から前記片側係合突条側に向けて両側に分岐して延びる一対の第１分岐突条部とを有し、前記複数の係合補助突条のうち残りの複数の第２係合補助突条は、対応する第２挿入孔に向けて内側に延びていることを特徴とする。
【００１５】
また、本発明の請求項６に記載の歯科技工用作業模型では、前記複数の第２係合補助突条は、前記第２挿入孔列の対応する第２挿入孔に向けて内側に延びる第２突条本体部と、前記第２突条本体部から前記他側係合突条側に向けて両側に分岐して又は前記第２突条本体部から前記片側係合突条側に向けて両側に分岐して延びる一対の第２分岐突条部とを有していることを特徴とする。
【００１６】
また、本発明の請求項７に記載の歯科技工用作業模型では、前記第１ダウエルピン列の前記複数の第１ダウエルピンの外径は、前記第２ダウエルピン列の前記複数の第２ダウエルピンの外径と等しい又はこれよりも大きいことを特徴とする。
【００１７】
また、本発明の請求項８に記載の歯科技工用作業模型では、前記歯形模型は部分タイプであり、これに対応して、前記支持基台の前記支持領域は横長に形成されており、前記複数の係合補助突条は、前記支持基台の前記支持領域における前記第２挿入孔列の対応する第２挿入孔に向けて内側に直線状に延びていることを特徴とする。
【００１８】
また、本発明の請求項９に記載の歯科技工用作業模型では、前記複数の係合補助突条は、前記第２挿入孔列の対応する第２挿入孔に向けて内側に延びる突条本体部と、前記突条本体部から前記他側係合突条に向けて両側に分岐して又は前記突条本体部から前記片側係合突条側に向けて両側に分岐して延びる一対の分岐突条部とを有していることを特徴とする。
【００１９】
また、本発明の請求項１０に記載の歯科技工用作業模型では、前記支持基台における前記片側係合突条の前記内側面には、前記複数の係合補助突条間において内側に向けて下方に傾斜する片側傾斜突部が設けられ、前記支持基台における前記他側係合突条の内側面には、内側に向けて下方に傾斜する他側傾斜突部が設けられ、また前記固定用プレートの下面には、前記支持基台側の前記片側傾斜突部及び前記他側傾斜突部に対応して片側傾斜凹部及び他側傾斜凹部が設けられていることを特徴とする。
【００２０】
また、本発明の請求項１１に記載の歯科技工用作業模型では、前記支持基台における前記片側傾斜突部には、前記片側係合突条に沿って間隔をおいて複数の片側係合凹部が設けられ、前記支持基台における前記他側傾斜突部には、前記他側係合突条に沿って間隔をおいて複数の他側係合凹部が設けられ、また前記固定用プレートにおける前記片側傾斜凹部には、前記複数の片側係合凹部に対応して複数の片側係合突部が設けられ、前記固定用プレートにおける前記他側傾斜凹部には、前記複数の他側係合凹部に対応して複数の他側係合突部が設けられていることを特徴とする。
【００２１】
また、本発明の請求項１２に記載の歯科技工用作業模型の支持基台は、歯形模型が固定される固定用プレートを支持するための合成樹脂から形成された支持基台本体を備えた歯科技工用作業模型の支持基台であって、
前記支持基台本体には、第１ダウエルピン列に対応して第１挿入孔列が配設されているとともに、前記第１ダウエルピン列の内側に配置される第２ダウエルピン列に対応して第２挿入孔列が配設されており、
前記第１挿入孔列は、前記第１ダウエルピン列の複数の第１ダウエルピンに対応して設けられた複数の第１挿入孔から構成され、前記第２挿入孔列は、前記第２ダウエルピン列の複数の第２ダウエルピンに対応して設けられた複数の第２挿入孔から構成されており、
また、前記支持基台における前記支持領域の片側側部及び他側側部には、上方に突出する片側係合突条及び他側係合突条が設けられ、前記片側係合突条の内側面には、前記第２挿入孔列の前記複数の第２挿入孔に対応して複数の係合補助突条が設けられており、
更に、前記第１及び第２挿入孔列の前記複数の第１及び第２挿入孔は、前記支持基台における前記支持領域の幅方向の中央線よりも他側に配置され、前記支持領域の前記複数の係合補助突条は、前記第２挿入孔列の対応する第２挿入孔に向けて内側に延びていることを特徴とする。
【００２２】
また、本発明の請求項１３に記載の歯科技工用作業模型の支持基台は、歯形模型が固定される固定用プレートを支持するための合成樹脂から形成された支持基台本体を備えた歯科技工用作業模型の支持基台であって、
前記支持基台本体には、第１ダウエルピン列に対応して第１挿入孔列が配設されているとともに、前記第１ダウエルピン列の内側に配置される第２ダウエルピン列に対応して第２挿入孔列が配設されており、
前記第１挿入孔列は、前記第１ダウエルピン列の複数の第１ダウエルピンに対応して設けられた複数の第１挿入孔から構成され、前記第２挿入孔列は、前記第２ダウエルピン列の複数の第２ダウエルピンに対応して設けられた複数の第２挿入孔から構成されており、
また、前記支持基台における前記支持領域の片側側部及び他側側部には、上方に突出する片側係合突条及び他側係合突条が設けられ、前記片側係合突条の内側面には、前記第２挿入孔列の前記複数の第２挿入孔に対応して複数の係合補助突条が設けられており、
更に、前記第１挿入孔列の前記複数の第１挿入孔は、前記支持基台の前記支持領域における前記他側係合突条の内側に配設され、前記第２挿入孔列の前記複数の第２挿入孔は、前記支持基台における前記支持領域の幅方向の中央線上に配置され、前記支持領域の前記複数の係合補助突条は、前記第２挿入孔列の対応する第２挿入孔に向けて内側に延びていることを特徴とする。
【００２３】
また、本発明の請求項１４に記載の歯科技工用作業模型の支持基台では、前記歯形模型は全顎タイプであり、これに対応して、前記支持基台本体の前記支持領域は弧状に延びており、前記複数の係合補助突条のうち前記支持基台本体における前記支持領域の両端部側に位置する複数の第１係合補助突条は、前記複数の係合補助突条のうち残りの複数の第２係合補助突条よりも内側に長く延びていることを特徴とする。
【００２４】
また、本発明の請求項１５に記載の歯科技工用作業模型の支持基台では、前記歯形模型は全顎タイプであり、これに対応して、前記支持基台本体の前記支持領域は弧状に延びており、前記複数の係合補助突条のうち前記支持基台本体における前記支持領域の両端部側に位置する複数の第１係合補助突条は、前記第２挿入孔列の対応する第２挿入孔に向けて内側に延びる第１突条本体部と、前記第１突条本体部から前記他側係合突条側に向けて両側に分岐して又は前記第１突条本体部から前記片側係合突条側に向けて両側に分岐して延びる一対の第１分岐突条部とを有し、前記複数の係合補助突条のうち残りの複数の第２係合補助突条は、対応する第２挿入孔に向けて内側に延びていることを特徴とする。
【００２５】
また、本発明の請求項１６に記載の歯科技工用作業模型の支持基台では、前記複数の第２係合補助突条は、前記第２挿入孔列の対応する第２挿入孔に向けて内側に延びる第２突条本体部と、前記第２突条本体部から前記他側係合突条側に向けて両側に分岐して又は前記第２突条本体部から前記片側係合突条側に向けて両側に分岐して延びる一対の第２分岐突条部とを有していることを特徴とする。
【００２６】
更に、本発明の請求項１７に記載の歯科技工用作業模型では、前記歯形模型は部分タイプであり、これに対応して、前記支持基台の前記支持領域は横長に形成されており、前記複数の係合補助突条は、対応する第２挿入孔に向けて内側に延びる突条本体部と、前記突条本体部から前記他側係合突条側に向けて両側に分岐して又は前記突条本体部から前記片側係合突条側に向けて両側に分岐して延びる一対の分岐突条部とを有していることを特徴とする。
【発明の効果】
【００２７】
本発明の請求項１に記載の歯科技工用作業模型及び請求項１２に記載の歯科技工用作業模型の支持基台によれば、支持基台の支持領域には、固定用プレート側の第１及び第２ダウエルピン列（即ち、複数の第１及び第２ダウエルピン）が挿入される第１及び第２挿入孔列（即ち、複数の第１及び第２挿入孔）が設けられ、これら第１及び第２挿入孔列は、支持領域の幅方向の中央線よりも他側（即ち、他側係合突条が設けられた側）に配置されているので、この支持領域の片側（片側におけるダウエルピンが存在しない領域）の幅は、その他側（他側におけるダウエルピンが存在しない領域）の幅よりも大きくなり、これによって、隣接する第１及び第２ダウエルピン間の間隔が大きくなり、従って、固定用プレートに固定された歯形模型を切断する際における第１及び第２ダウエルピン、特に第２ダウエルピンの切断を少なくすることができる。
【００２８】
また、支持基台側の片側側部及び他側側部に片側係合突条及び他側係合突条が設けられ、固定用プレート側に片側係合凹条及び他側係合凹条が設けられ、加えて支持基台側の片側係合突条の内側面に複数の係合補助突条が設けられ、固定用プレート側に複数の係合補助凹条が設けられているので、支持基台側の第１及び第２挿入孔列に固定用プレート側の第１及び第２ダウエルピン列を挿入して支持した状態においては、支持基台側の片側係合突条及び他側係合突条と固定用プレート側の片側係合凹条及び他側係合凹条とが係脱自在に係合するとともに、支持基台側の複数の係合補助突条と固定用プレート側の複数の係合補助凹条とが係脱自在に係合するので、支持基台と固定用プレートとを確実に係合させ、この固定用プレートに固定された歯科模型を切断した際にも、切断した固定用プレートのガタ及び回動を確実に抑えることができる。
【００２９】
更に、支持基台側の複数の係合補助突条は、第２挿入孔列の対応する第２挿入孔（換言すると、この第２挿入孔列の第２挿入孔に挿入された第２ダウエルピン列の第２ダウエルピン）に向けて内側に延び、固定用プレート側の複数の係合補助凹条は、第２ダウエルピン列の対応する第２ダウエルピンに向けて延び、固定用プレートを支持基台に装着した状態においては、支持基台側の複数の係合補助突条と固定用プレート側の複数の係合補助凹条とが係脱自在に係合するので、支持基台と固定用プレートとをより確実に係合させ、この固定用プレートに固定された歯科模型を切断した際にも、切断した固定用プレートのガタ及び回動を一層抑えることができる。
【００３０】
また、本発明の請求項２に記載の歯科技工用作業模型及び請求項１３に記載の歯科技工用作業模型の支持基台によれば、支持基台の支持領域には、固定用プレート側の第１及び第２ダウエルピン列（即ち、複数の第１及び第２ダウエルピン）が挿入される第１及び第２挿入孔列（即ち、複数の第１及び第２挿入孔）が設けられ、第１挿入孔列（複数の第１挿入孔）は、支持領域における他側係合突条の内側に配設され、第２挿入孔列（複数の第２挿入孔）は、この支持領域の幅方向の中央線上に配置されているので、この支持領域の片側（片側におけるダウエルピンが存在しない領域）の幅は、その他側（他側におけるダウエルピンが存在しない領域）の幅よりも大きくなり、従って、このように構成しても隣接する第１及び第２ダウエルピン間の間隔が大きくなり、固定用プレートに固定された歯形模型を切断する際における第１及び第２ダウエルピン、特に第２ダウエルピンの切断を少なくすることができる。
【００３１】
また、支持基台側の片側係合突条及び他側係合突条並びに複数の係合補助突条に関する構成、また固定用プレート側の片側係合凹条及び他側係合凹条並びに複数の係合補助凹部に関する構成は、上述したと同様であるので、上述したと同様の作用効果を奏する。
【００３２】
また、本発明の請求項３に記載の歯科技工用作業模型及び請求項１４に記載の歯科技工用作業模型の支持基台によれば、支持基台側の複数の係合補助突条のうち支持領域の両端部側に位置する複数の第１係合補助突条は、残りの複数の第２係合補助突条よりも内側に長く延びているので、隣接するダウエルピン間の間隔が大きい支持領域の両端部にて歯科模型を切断した際の固定用プレートのガタ及び回動をより効果的に抑えることができる。
【００３３】
また、本発明の請求項４に記載の歯科技工用作業模型によれば、複数の第１係合補助突条は内側に曲線状に延び、複数の第２係合補助突条は内側に直線状に延びているので、支持領域の両端部にて歯科模型を切断した際の固定用プレートのガタ及び回動をより一層効果的に抑えることができる。
【００３４】
また、本発明の請求項５に記載の歯科技工用作業模型及び請求項１５に記載の歯科技工用作業模型の支持基台によれば、複数の係合補助突条のうち支持領域の両端部側に位置する複数の第１係合補助突条は、第２挿入孔列の対応する第２挿入孔に向けて内側に延びる第１突条本体部と、この第１突条本体部から他側係合突条側に向けて両側に分岐して延びる（又はこの第１突条本体部から片側係合突条側に向けて両側に分岐して延びる）一対の第１分岐突条部とを有しているので、この支持領域の両端部にて歯科模型を切断した際の固定用プレートのガタ及び回動を一層効果的に抑えることができる。
【００３５】
また、本発明の請求項６に記載の歯科技工用作業模型及び請求項１６に記載の歯科技工用作業模型の支持基台によれば、複数の第２係合補助突条は、第２挿入孔列の対応する第２挿入孔に向けて内側に延びる第２突条本体部と、この第２突条本体部から他側係合突条側に向けて両側に分岐して延びる（又はこの第２突条本体部から片側係合突条に向けて両側に分岐して延びる）一対の第２分岐突条部とを有しているので、支持領域の全体において歯科模型を切断した際の固定用プレートのガタ及び回動を一層効果的に抑えることができる。
【００３６】
また、本発明の請求項７に記載の歯科技工用作業模型によれば、複数の第１ダウエルピンの外径は、複数の第２ダウエルピンの外径と等しい又はこれよりも大きいので、固定用プレートに固定された歯形模型を切断する際における第１及び第２ダウエルピン、特に第２ダウエルピンの切断を少なくすることができる。この場合、第１及び第２ダウエルピンの外径を等しくするときには、第１及び第２ダウエルピンとして外径の小さいものを用いるのが好ましい。
【００３７】
また、本発明の請求項８項に記載の歯科技工用作業模型によれば、支持基台の支持領域が横長に形成され、複数の係合補助突条は、第２挿入孔列の対応する第２挿入孔（換言すると、第２挿入孔列の対応する第２挿入孔に挿入された第２ダウエルピン列の第２ダウエルピン）に向けて内側に直線状に延びているので、部分タイプに好都合に適用することができる。
【００３８】
また、本発明の請求項９に記載の歯科技工用作業模型及び請求項１７に記載の歯科技工用作業模型の支持基台によれば、複数の係合補助突条は、対応する第２挿入孔に向けて内側に延びる突条本体部と、この突条本体部から他側係合突条側に向けて両側に分岐して延びる（又はこの突条本体部から片側係合突条側に向けて両側に分岐して延びる）一対の分岐突条部とを有しているので、部分タイプのものにおいても、支持領域の全体において歯科模型を切断した際の固定用プレートのガタ及び回動を一層効果的に抑えることができる。
【００３９】
また、本発明の請求項１０に記載の歯科技工用作業模型によれば、支持基台の片側係合突条及び他側係合突条の内側面には、内側に向けて下方に傾斜する片側傾斜突部及び他側傾斜突部が設けられ、また固定用プレート側に片側傾斜凹部及び他側傾斜凹部が設けられているので、支持基台に固定用プレートを装着した状態においては、更に、支持基台側の片側傾斜突部及び他側傾斜突部と固定用プレート側の片側傾斜凹部及び他側傾斜凹部とが係脱自在に係合し、従って、支持基台と固定用プレートとをより一層確実に係合させことができるとともに、歯科模型を切断した際にも、切断した固定用プレートのガタ及び回動を一層効果的に抑えることができる。
【００４０】
更に、本発明の請求項１１に記載の歯科技工用作業模型によれば、支持基台側の片側傾斜突部及び他側傾斜突部には複数の片側係合凹部及び他側係合凹部が設けられ、また固定用プレート側の片側傾斜凹部及び他側傾斜凹部には複数の片側係合突部及び他側係合突部が設けられているので、支持基台に固定用プレートを装着した状態においては、支持基台側の片側傾斜突部の片側係合凹部及び他側傾斜突部の他側係合凹部と固定用プレート側の片側傾斜凹部の片側係合突部及び他側傾斜凹部の他側係合突部とが係脱自在に係合し、従って、支持基台と固定用プレートとを更に一層確実に係合させことができるとともに、歯科模型を切断した際にも、切断した固定用プレートのガタ及び回動を更に一層効果的に抑えることができる。
【図面の簡単な説明】
【００４１】
【図１】本発明に従う歯科技工用作業模型の第１の実施形態を示す斜視図。
【図２】図１の作業模型にて固定用プレートを取り付ける前の状態を示す斜視図。
【図３】図１におけるＩＩＩ−ＩＩＩ線による拡大断面図。
【図４】図１の作業模型を製作する前の状態を示す分解斜視図。
【図５】支持基台に装着した成型用基枠内に石膏を注入した状態を示す断面図。
【図６】本発明に従う歯科技工用作業模型の第２の実施形態における支持基台の上面を示す平面図。
【図７】図６におけるＶＩＩ−ＶＩＩ線による断面図。
【図８】本発明に従う歯科技工用作業模型の第３の実施形態における支持基台を示す平面図。
【図９】本発明に従う歯科技工用作業模型の第４の実施形態における支持基台を示す斜視図。
【図１０】図９の支持基台を示す平面図。
【図１１】図１０におけるＸＩ−ＸＩ線による断面図。
【図１２】本発明に従う歯科技工用作業模型の第５の実施形態における支持基台を示す平面図。
【図１３】本発明に従う歯科技工用作業模型の第６の実施形態における支持基台を示す平面図。
【図１４】本発明に従う歯科技工用作業模型の第７の実施形態における支持基台を示す平面図。
【図１５】本発明に従う歯科技工用作業模型の第８の実施形態における支持基台を示す平面図。
【図１６】本発明に従う歯科技工用作業模型の第９の実施形態における支持基台を示す平面図。
【図１７】本発明に従う歯科技工用作業模型の第１０の実施形態における支持基台を示す平面図。
【図１８】本発明に従う歯科技工用作業模型の第１１の実施形態における支持基台を示す平面図。
【図１９】本発明に従う歯科技工用作業模型の第１２の実施形態における支持基台を示す平面図。
【図２０】本発明に従う歯科技工用作業模型の第１３の実施形態における支持基台を示す平面図。
【図２１】本発明に従う歯科技工用作業模型の第１４の実施形態における支持基台を示す平面図。
【図２２】本発明に従う歯科技工用作業模型の第１５の実施形態における支持基台を示す平面図。
【発明を実施するための形態】
【００４２】
以下、添付図面を参照して、本発明に従う歯科技工用作業模型及びこれに用いる支持基台の各種実施形態について説明する。
【００４３】
〈第１の実施形態〉
まず、図１〜図５を参照して、第１の実施形態の歯科技工用作業模型（及びその支持基台）について説明する。図１〜図３において、図示の歯科技工用作業模型２は、歯形模型４が固定された固定用プレート６と、固定用プレート６に植設された第１及び第２ダウエルピン列７，８と、固定用プレート６を支持するための支持基台１０と、を備え、第１ダウエルピン列７は、複数（この具体例では、５本）の第１ダウエルピン９から構成され、第２ダウエルピン列８は、複数（この具体例では、５本）の第２ダウエルピン１１から構成され、第１及び第２ダウエルピン列７，８の複数の第１及び第２ダウエルピン９，１１は、相互に対となって設けられる。
【００４４】
支持基台１０は支持基台本体１２を備え、この支持基台本体１２は、例えばポリエチレン樹脂やポリプロピレン樹脂、ナイロン樹脂、ウレタン樹脂などの合成樹脂から形成される。この支持基台本体１２は、横長且つ筒状の周側壁１４と、周側壁１４の上面を覆う横長の上壁１６とを有している。この実施形態では、上壁１６の上面（支持基台１０の上面を規定する部分）の全域は、図３から理解されるように、固定用プレート６を支持するための支持領域１８として機能する。
【００４５】
この支持基台本体１２の支持領域１８には、第１及び第２挿入孔列１９，２０が設けられている。第１及び第２挿入孔列１９，２０は、その長手方向（図１及び図２において左下から右上の方向、図３において紙面に垂直な方向）に設けられており、第１挿入孔列１９は、その長手方向に沿って間隔を置いて配設された５個の第１挿入孔２１から構成され、第２挿入孔列２０は、この第１挿入孔列１９に沿って間隔をおいて設けられた５個の第２挿入孔２２から構成され、第１及び第２挿入孔列１９，２０の複数の第１及び第２挿入孔２１，２２は、相互に対となって設けられている。
【００４６】
支持基台本体１２の周側壁１４の内側に形成された内部空間２３には、一対としての第１及び第２挿入孔２１，２２に対応して上壁１６の下面から下方に延びる突出部２４が設けられ、第１及び第２挿入孔列１９，２０の第１及び第２挿入孔２１，２２は上壁１６及び突出部２４を貫通して設けられている（図３参照）。これら第１及び第２挿入孔２１，２２は、突出部２４の上端部から下端部に向けて内径が漸減するテーパ状に形成されている。尚、かかる突出部２４は、各第１挿入孔２１及び各第２挿入孔２２に対応して設けるように構成することもできる。
【００４７】
この形態では、第１及び第２挿入孔２１，２２の先端部に拡径部２３，２５が設けられ、支持基台１０に固定用プレート６を装着した状態において、第１ダウエルピン列７の第１ダウエルピン９の先端部は、第１挿入孔列７の対応する第１挿入孔２１の拡径部２３内に位置し、この拡径部２３を超えて下方に突出することはなく、また第２ダウエルピン列８の第２ダウエルピン１１の先端部は第２挿入孔列８の対応する第２挿入孔２２の拡径部２５内に位置し、この拡径部２５を超えて下方に突出することはなく、これらのように構成することにより、取扱い時の安全性を確保することができる。
【００４８】
また、上壁１６の上面（即ち、支持領域１８）における片側側部（図１及び図２において右下側の側部、図３において右側の側部）には、上方に突出する片側係合突条２６が設けられ、その他側側部には（図１及び図２において左上側の側部、図３において左側の側部）には、上方に突出する他側係合突条２８が設けられている。片側係合突条２６及び他側係合突条２８は、相互に対向して配置され、支持基台本体１２の長手方向略全長にわたって設けられ、その両端部においては、片側係合突条２６及び他側係合突条２８は設けられていない。片側係合突条２６及び他側係合突条２８の上壁１６からの突出高は、約１．０〜３．０ｍｍ程度に設定される。
【００４９】
この実施形態では、第１挿入孔列７（複数の第１挿入孔２１）は、支持基台１０（支持基台本体１２）の上面の他側係合突条２８の幅方向内側に配設され、また第２挿入孔列８（複数の第２挿入孔２２）は、この第１挿入孔列８の幅方向内側に配設され、第１及び第２挿入孔列７，８は、支持基台１０の上面の他側、即ち支持領域１８の幅方向の中心線Ｐ１（図３参照）よりも他側（即ち、他側係合突条２８側）に配置されている。
【００５０】
第１挿入孔列７の複数の第１挿入孔２１は、この支持基台本体１２における上壁１６の上面（即ち、支持領域１８）の幅をＷとしたときに、その片側側端からの距離Ｗ１（具体的には、第１挿入孔２１の中心線Ｐ２までの距離）が、例えば（３Ｗ／５）＜Ｗ１＜（４Ｗ／５）の範囲に配置され、第２挿入孔列８の複数の第２挿入孔２２は、その片側側端からの距離Ｗ２（具体的には、第２挿入孔２２の中心線Ｐ３までの距離）が、例えば（Ｗ／２）＜Ｗ２＜（３Ｗ／５）の範囲に配置される。
【００５１】
このように構成した場合、支持基台１０（支持基台本体１２）の片側から第２挿入孔列８（換言すると、この第２挿入孔列８に挿入された第２ダウエルピン列８）までの距離Ｗ２は、支持基台１０の他側から第１挿入孔列７（換言すると、この第１挿入孔列７に挿入された第１ダウエルピン列７）までの距離Ｗ３よりも大きくなり（Ｗ３＜Ｗ１）、これによって、後述する如くして歯科模型４を切断した際における第１及び第２ダウエルピン９，１１の切断、損傷を少なく抑えることができる。
【００５２】
この形態では、第１ダウエルピン列７の複数の第１ダウエルピン９の外径は、第２ダウエルピン列８の第２ダウエルピン１１の外径より大きく（このことに対応して、第１挿入孔列１９の第１挿入孔２１の内径は、第２挿入孔列２０の第２挿入孔２２の内径よりも大きくなる）、第１ダウエルピン９の基部の外径は、例えば２５〜３２ｍｍ程度に形成され、また第２ダウエルピン１１の基部の外径は、例えば１７〜２４ｍｍ程度に形成される。このように構成することに代えて、第１及び第２ダウエルピン９，１１として外径が等しいものを用いるようにしてもよく、この場合、外径が小さい（例えば、１７〜２４ｍｍ程度）のもを用いるのが好ましい。
【００５３】
また、このことに関連して、この支持基台１０の支持領域１８には、第１及び第２挿入孔列２１，２２の複数の第１及び第２挿入孔２１，２２（換言すると、第１及び第２挿入孔２１，２２に挿入される第１及び第２ダウエルピン９，１１）に対応して、複数の係合補助突条３０が設けられている。これら係合補助突条３０は、支持基台１０の片側係合突条２６の内側面（即ち、他側係合突条２８と対向する側面）から内側に対応する第１及び第２挿入孔２１，２２に向けて延び、この実施形態では、この支持基台１０の幅方向の中心線Ｐ１の近くまで延びているが、この片側係合突条２６からの長さは、例えば、この支持基台１０の幅ＷのＷ／５程度から対応する第２挿入孔２２に至るまでの間の適宜の長さに設定することができる。
【００５４】
この実施形態では、複数の係合補助突条３０は、対応する第１及び第２挿入孔２１，２２（対応する第１及び第２ダウエルピン９，１１）に向けて直線状に延びているが、例えば、円弧状、Ｓ字状などの曲線状に延びるように設けるようにしてもよい。また、複数の係合補助突条３０の高さは、図３に示すように、片側係合突条２６の高さと等しくなるように設定され、この片側係合突条２６から同じ高さレベルでもって内側に延びているが、この片側係合突条２６より幾分低く形成し、片側係合突条２６から段差をもって内側に延びるように構成することもできる。
【００５５】
また、周側壁１４の外周面には、第１及び第２挿入孔列１９，２０の複数の第１及び第２挿入孔２１，２２の各々に対応して（換言すると、固定用プレート６の第１及び第２ダウエルピン列７，８の複数の第１及び第２ダウエルピン９．１１の各々に対応して）位置決め用突部３２が設けられている。この位置決め用突部３２は、第１及び第２挿入孔列１９，２０を挟んでそれらの両側にそれぞれ配設されている。
【００５６】
固定用プレート６は石膏から形成されたプレート本体３４を備え、このプレート本体３４は、支持基台本体１２の上壁１６の形状に対応した横長の形状を有している。この固定用プレート６には、支持基台本体１２の第１挿入孔列１９の各第１挿入孔２１に対応して第１ダウエルピン列７の第１ダウエルピン９が植設され、その第２挿入孔列２０の各第２挿入孔２２に対応して第２ダウエルピン列９の第２ダウエルピン１１が植設されている。第１及び第２ダウエルピン９，１１は、上述のように第１及び第２挿入孔２１，２２がテーパ状に形成されていることに対応して、その基端部から先端部に向けて外径が漸減するテーパ状に形成されている。また、固定用プレート６に埋設される第１及び第２ダウエルピン９，１１の基端部には、固定用プレート６に対する固定強度を高めるためにローレット加工が施されている。
【００５７】
また、固定用プレート６（即ち、プレート本体３４）の下面（即ち、第１及び第２ダウエルピン９，１１が突出する側の面）における片側側部には、支持基台１０側の片側係合突条２６に対応して片側係合凹条３６が設けられ、またその他側側部には、支持基台１０の他側係合突条２８に対応して他側係合凹条３８が設けられている。これら片側係合凹条３６及び他側係合凹条３８は、上方に延びるとともに固定用プレート６の長手方向に延びている。
【００５８】
この固定用プレート６（プレート本体３４）の下面には、更に、支持基台１０側の複数の係合補助突条３０に対応して複数の係合補助凹条４０が設けられている。これら係合補助凹条４０は対応する第１及び第２ダウエルピン９，１１に向けて直線状に延びている。
【００５９】
この固定用プレート６の上面には、石膏から形成された歯形模型４（本実施形態では、部分タイプのもの）が固定されている。この固定用プレート６は、第１及び第２ダウエルピン９，１１を対応する第１及び第２挿入孔２１，２２に着脱自在に挿入することにより、支持基台本体１２の上壁１６の上面（即ち、支持領域１８）に着脱自在に支持される。この支持状態においては、図３に示すように、固定用プレート６（プレート本体３４）側の片側係合凹条３６及び他側係合凹条３８と支持基台１０（支持基台本体１２）側の片側係合突条２６及びの他側係合突条２８とが相互に着脱自在に係合するとともに、固定プレート６側の複数の係合補助凹条４０と支持基台１０（支持基台本体１２）側の複数の係合補助突条３８とが相互に着脱自在に係合する。
【００６０】
次に、主として図３〜図５を参照して、上述した歯科技工用作業模型２の製造方法について説明する。この作業模型２を製作するには、歯型（図示せず）に石膏を流し込んで歯形模型４を製作し、また、合成樹脂による例えば射出成形によって支持基台１０を製造する。そして、図４に示すように、支持基台１０（支持基台本体１２）の第１挿入孔列１９の各第１挿入孔２１に第１ダウエルピン９を先端部側から着脱自在に挿入するとともに、その第２挿入孔列２０の各第２挿入孔２２に第２ダウエルピン１１を先端部側から着脱自在に挿入する（ダウエルピン挿入工程）。このように挿入すると、第１及び第２ダウエルピン９，１１の基端部は、支持基台１０の上面、即ち支持基台本体１２の上壁１６の上面から上方に所定長さ（例えば、約３〜４ｍｍ程度）突出する（図５参照）。
【００６１】
その後、図４及び図５に示すように、支持基台本体１２の上部に成型用基枠４２を着脱自在に装着する（基枠装着工程）。ここで、基枠装着工程で用いる成型用基枠４２について説明すると、成型用基枠４２は全体として略矩形状の外形を有し、例えばシリコンゴムや合成ゴムなどのゴム材料から形成されている。成型用基枠４２の内側には上下方向に貫通する貫通開口４４が設けられ、この貫通開口４４は、支持基台本体１２の上部の形状に対応した形状を有している。
【００６２】
成型用基枠４２を支持基台本体１２の上部に装着すると、図５に示すように、支持基台本体１２の上壁１６及び周側壁１４の上端部が貫通開口４４の下端部に挿入され、成型用基枠４２の内周面が周側壁１４の外周面に密着するように取り付けられる。この取付状態においては、成型用基枠４２の下端部が支持基台本体１２の位置決め用突部３２に当接支持され、これにより、成型用基枠４２が支持基台本体１２に対して位置決めされる。この装着状態では、成型用基枠４２は、支持基台本体１２の上壁１６の上面から上方に所定高さ（例えば、約７〜１０ｍｍ程度）だけ突出するようになり、支持基台本体１２の上面及び成型用基枠４２の内周面によって注入空間４６が規定される。
【００６３】
その後、固定用プレート６を成型するための石膏４８を注入空間４６に注入する（プレート成形工程）。この石膏４８は、第１及び第２ダウエルピン９，１１の基端部が石膏４８に完全に浸漬されるまで注入される。このとき、支持基台本体１２の上壁１６の両端部には片側係合突条２６及び他側係合突条２８が設けられていないので、注入した石膏４８が上壁１６の両端部に流れるようになり、石膏４８を上壁１６の全域にほぼ均一に注入することができる。
【００６４】
注入空間４６内に注入した石膏４８が硬化することにより、複数の第１及び第２ダウエルピン９，１１が植設され且つ片側係合凹条３６（支持基台１０側の片側係合突条２６に対応する凹条）、他側係合凹条３８（支持基台１０側の他側係合突条２８に対応する凹条）及び複数の係合補助凹条４０（支持基台１０側の複数の係合補助突条３０に対応する凹条）が形成された固定用プレート６が成形される。
【００６５】
しかる後、成型用基枠４２を支持基台本体１２の上部から取り外し、固定用プレート６の上面に例えば研削加工を施して平坦となるように加工する（研削加工工程）。この加工は、固定用プレート６を支持基台本体１２の上面に装着させた状態で行われ、例えば第１及び第２ダウエルピン９，１１の基端面が外部に露出するまで行われる。
【００６６】
その後、研削加工を施した固定用プレート６（プレート本体３４）の上面に歯形模型４を接着剤等を用いて固定し（歯形模型固定工程）、このようにして図１〜図３に示す通りの歯科技工用作業模型２を製作することができる。そして、この作業模型２を用いて作業を行うときには、固定用プレート６を支持基台１０に支持させた状態で、図１において一点鎖線５２で示すように歯形模型４の所定部位（即ち、隣接する一対の第１及び第２ダウエルピン９，１１の間の部位）を固定用プレート６とともに切断工具（図示せず）を用いて切断する（模型切断工程）。このとき、固定用プレート６を切断することによって、支持基台１０側の片側係合突条２６及び他側係合突条２８も切断工具による切り込み５４が形成されるようになる。このように切断することによって、歯形模型４の切断した部位を固定用プレート６並びに第１及び第２ダウエルピン９，１１とともに残りの部位から取り出すことができる。尚、上述したように、支持基台本体１２の周側壁１４には第１及び第２挿入孔列１９，２０の第１及び第２挿入孔１９，２０に対応して位置決め用突部３２が設けられているので、歯形模型４を切断する際に、この位置決め用突部３２を目視することによって、第１及び第２ダウエルピン９，１１の配設箇所を容易に確認することができる。
【００６７】
上述した形態では、歯形模型固定工程において、固定用プレート６の上面に歯形模型４を接着剤等を用いて固定するようにしているが、このような構成に代えて、注入空間４６に石膏４８を注入した後に、注入した石膏４８の硬化前に歯形模型４を押し付け、石膏４８の硬化により固定用プレート６の上面に歯形模型４を固定するようにしてもよい。
【００６８】
このようにして製作された歯科技工用作業模型２（その支持基台１０）は、次の通りの特徴を有する。まず、第１及び第２挿入孔列１９，２０の複数の第１及び第２挿入孔２１，２２（具体的には、第１及び第２挿入孔１９，２０の中心線Ｐ２，Ｐ３であって、これに装着された第１及び第２ダウエルピン９，１１の軸方向の中心線Ｐ２，Ｐ３）が支持基台１０の他側側、即ちその幅方向の中心線Ｐ１よりも他側側（他側係合突条２８側）に配置されているので、支持基台１０の片側係合突条２６から第２挿入孔２２（その中心線Ｐ３）までの距離Ｗ２は、支持基台１０の他側係合突条２８から第１挿入孔１９（その中心線Ｐ２）までの距離Ｗ３よりも大きくなる（Ｗ３＜Ｗ２）。従って、支持基台１０の周側壁１４に設けられた位置決め用突部３２（他側係合突条２８側の位置決め用突部）とこれに対応する第１及び第２挿入孔２１，２２（これらに挿入された第１及び第２ダウエルピン９，１１）との間の間隔が短くなり、それ故に、例えば支持基台１０の他側から見て歯形模型４を切断する際に切断工具（図示せず）が少し傾いた状態で切断したとしても第１及び第２ダウエルピン９，１１、特に第２ダウエルピン１１を切断するおそれが従来よりも少なくなり、歯形模型４の切断作業の切断ミスを大きく減らすことができる。
【００６９】
また、支持基台１０（支持基台本体１２）側に片側係合突条２６及び他側係合突条２８が設けられているとともに、固定用プレート６（プレート本体３４）側に片側係合凹条３６及び他側係合凹条３８が設けられているので、支持基台１０の上面（支持領域１８）に固定用プレート６を装着した状態においては、支持基台１０側の片側係合突条２６及び他側係合突条２８と固定用プレート６側の片側係合凹条３６及び他側係合凹条３８とが相互に係脱自在に係合する。
【００７０】
加えて、第１及び第２挿入孔列１９，２０の複数の第１及び第２挿入孔２１，２２が支持基台１０の他側側（他側係合突条２８側）に配置されていることに関連して、この支持基台１０（支持基台本体１２）の片側側（片側係合突条２６側）に各第２挿入孔２２（各第１挿入孔２１）に対応して係合補助突条３０が設けられるとともに、固定用プレート６（プレート本体３４）に各係合補助突条３０に対応して係合補助凹条４０が設けられているので、支持基台１０の上面（支持領域１８）に固定用プレート６を装着した状態においては、支持基台１０側の複数の係合補助突条３０と固定用プレート６側の係合補助凹条４０とが相互に係合する。
【００７１】
従って、固定用プレート６を支持基台１０に装着した状態においては、支持基台１０と固定用プレート６との係合状態が確実に保たれて固定用プレート６のガタなどが確実に抑えられ、また歯形模型４を切断して固定用プレート６の一部を繰り返して抜差しても支持基台１０に対する相対的なガタ、回動なども確実に抑えられる。
【００７２】
〈第２の実施形態〉
次いで、図６及び図７を参照して、本発明に従う歯科技工用作業模型の第２の実施形態について説明する。図６及び図７においては、第２の実施形態の歯科技工用作業模型の支持基台のみを示している。尚、以下の実施形態において、第１の実施形態と実質上同一の部材には同一の参照番号を付し、その説明を省略する。
【００７３】
この第２の実施形態の歯科技工用作業模型の支持基台１０Ａにおいては、図６及び図７と図２及び図３とを対比することによって理解される如く、片側係合突条２６Ａ及び他側係合突条２８Ａに関連する構成に修正が施されている。図６及び図７において、この支持基台１０Ａ（支持基台本体１２Ａ）の片側側部に設けられた片側係合突条２６Ａには、隣接する係合補助突条３０Ａ間に片側傾斜突部６２が設けられているとともに、両端側の係合補助突条３０Ａの外側に外側傾斜突部６４が設けられている。片側傾斜突部６２及び外側傾斜突部６４は、片側係合突条２６Ａの内側面から内側に延び、それらの上面は内側に向けて下方に傾斜して上壁１６の上面まで延びている（図７参照）。
【００７４】
また、支持基台１０Ａ（支持基台本体１２Ａ）の他側側部に設けられた他側係合突条２８Ａには、他側傾斜突部６６が設けられており、この他側傾斜突部６６は、他側係合突条２８Ａの一端側から他端側までほぼ全長にわたって設けられている。この他側傾斜突部６６は、他側係合突条２８Ａの内側面から内側に延び、その上面は内側に向けて下方に傾斜して上壁１６の上面まで延びている（図７参照）。
【００７５】
これら片側傾斜突部６２及び外側傾斜突部６４の傾斜角度θ１（図７）（上壁１６の上面から上方への傾斜角度）及び他側傾斜突部６６の傾斜角度θ２（図７）（上壁１６の上面から上方への傾斜角度）は、例えば３０〜７０度程度に設定され、４０〜６０度の角度範囲が好ましい。
【００７６】
この第２実施形態では、片側傾斜突部６２の全体においてその長手方向に沿って（即ち、この片側傾斜突部６２に沿って）間隔をおいて複数の片側係合凹部６８が設けられ、これら片側係合凹部６８は、支持基台本体１２Ａの上壁１６の上面まで延びている。図示の例では、片側傾斜突部６２における隣接する係合補助突条３０Ａ間の部位に２つの片側係合凹部６８が設けられているが、かかる部位に１つ又は３つ以上の係合補助突部３０Ａを設けるようにしてもよい。また、外側傾斜突部６４には外側係合凹部を全く設けていないが、この外側傾斜突部６４に１つ又は２つ以上の外側係合凹部を設けるようにしてもよい。
【００７７】
更に、他側傾斜突部６６においてはその長手方向に沿って（即ち、この他側傾斜突部６６に沿って）間隔をおいて複数の他側係合凹部７０が設けられ、これら他側係合凹部７０は、片側係合凹部６８と同様に、支持基台本体１２Ａの上壁１６の上面まで延びている。
【００７８】
この実施形態では、片側傾斜突部６２に複数の片側係合凹部６８を設け、他側傾斜突部６６に複数の他側係合凹部７０を設けているが、これら片側係合凹部６８及び／又は他側係合凹部７０を省略することもできる。
【００７９】
この第２の実施形態の歯科技工用作業模型では、固定用プレート（図示せず）は、上述した第１の実施形態と同様に、この支持基台１０Ａの上端部に位置決め用突部３２に当接支持されるように成型用基枠（図示せず）を取り付け、この成型用基枠内に規定された注入空間に石膏を注入することにより形成される。
【００８０】
このようなことから、支持基台１０Ａの構成が上述した通りである場合、この支持基台１０Ａの上面に対応する固定用プレートの下面は、図示していないが、次の通りの構成となる。即ち、支持基台１０Ａ（支持基台本体１２Ａ）の片側係合突条２６Ａに対応して固定用プレート（プレート本体）の片側側部に片側係合凹条が設けられ、その他側係合突条２８Ａに対応して固定用プレートの他側側部に他側係合凹条が設けられる。また、支持基台１０Ａの複数の係合補助突条３０Ａに対応して固定用プレートには複数の係合補助凹条が設けられる。
【００８１】
更に、支持基台１０Ａの片側傾斜突部６２及び外側傾斜突部６４に対応して、固定用プレートの片側側部に片側傾斜凹部及び外側傾斜凹部が設けられるとともに、その他側傾斜突部６６に対応して、固定用プレートの他側側部に他側傾斜凹部が設けられる。更にまた、支持基台１０Ａの片側傾斜突部６２に設けられた複数の片側係合凹部６８に対応して、固定用プレートの片側傾斜凹部に複数の片側係合突部が設けられるとともに、その他側傾斜突部６６に設けられた複数の他側係合凹部７０に対応して、固定用プレートの他側傾斜凹部に複数の他側係合突部が設けられる。この第２の実施形態の歯科技工用作業模型のその他の構成は、上述した第１の実施形態と実質上同一である。
【００８２】
この第２の実施形態の歯科技工用作業模型にて、支持基台１０Ａ（支持基台本体１２Ａ）の上面（支持領域１８Ａ）に固定用プレートを支持する支持状態（第１ダウエルピン列の複数の第１ダウエルピンが第１挿入孔列１９の対応する第１挿入孔２１に挿入され、また第２ダウエルピン列の複数の第２ダウエルピンが第２挿入孔列２０の対応する第２挿入孔２２に挿入されて支持された状態）（この支持状態は図示していない）においては、支持基台１０Ａ（支持基台本体１２Ａ）側の片側係合突条２６Ａ及び他側係合突条２８Ａと固定用プレート（プレート本体）側の片側係合凹条及び他側係合凹条（いずれも図示せず）とが相互に係合するとともに、支持基台１０Ａ側の複数の係合補助突条３０Ａと固定用プレート側の複数の係合補助凹条（図示せず）とが相互に係合する。
【００８３】
更に、支持基台１０Ａ側の片側傾斜突部６２及び外側傾斜突部６４並びに他側傾斜突部６６と固定用プレートの片側傾斜凹部及び外側傾斜凹部並びに他側傾斜凹部（いずれも図示せず）とが相互に係合するとともに、支持基台１０Ａ側の複数の片側係合凹部６８及び他側係合凹部７０と固定用プレート側の複数の片側係合突部及び他側係合突部（いずれも図示せず）が相互に係合し、これにより、支持基台１０Ａと固定用プレート（図示せず）との係合状態をよりガタ、回動などのない状態に保持することができる。
【００８４】
〈第３の実施形態〉
次に、図８を参照して、本発明に従う歯科技工用作業模型の第３の実施形態について説明する。図８においては、第３の実施形態の歯科技工用作業模型の支持基台のみを示している。この第３の実施形態の歯科技工用作業模型の支持基台１０Ｂにおいては、図８と図６（第２の実施形態）を対比することによって理解される如く、第１及び第２挿入孔列１９Ｂ，２０Ｂに関連する構成に修正が施されている。
【００８５】
図８において、この支持基台１０Ｂ（支持基台本体１２Ｂ）の支持領域１８Ｂに設けられた第２挿入孔列２０Ｂの複数（この例では、５個）の第２挿入孔２２Ｂ（具体的には、第２挿入孔２２Ｂの中心線）は、支持基台１０Ｂ（支持基台本体１２Ｂ）の支持領域１８Ｂの幅方向中心線Ｐ１の上に配設されている。また、支持領域１８Ｂに設けられた第１挿入孔列１９Ｂの複数（この例では、５個）の第１挿入孔２１Ｂは、支持基台１０Ｂ（支持基台本体１２Ｂ）の他側係合突条２８Ａと第２挿入孔列２０Ｂ（即ち、幅方向の中心線Ｐ１）との間のほぼ中央に配設されている。
【００８６】
このように構成した場合にも、支持基台１０Ｂ（支持基台本体１２Ｂ）の片側側部から第２挿入孔列２０Ｂ（複数の第２挿入孔２２Ｂ）までの幅（長さ）が、この支持基台１０Ｂ（支持基台本体１２Ｂ）の他側側部から第１挿入孔列１９Ｂ（複数の第１挿入孔２１Ｂ）までの幅（長さ）よりも大きくなり、従って、この支持基台１０Ｂの他側側から切断したときに、第１及び第２ダウエルピン、特に第２ダウエルピンを切断するおそれを従来よりも少なくすることができる。
【００８７】
〈第４の実施形態〉
次に、図９〜図１１を参照して、本発明に従う歯科技工用作業模型の第４の実施形態について説明する。図１〜図８に示す実施形態（第１〜第３の実施形態）では、歯形模型が部分タイプのものに適用して説明したが、図９〜図１１に示す実施形態では、歯形模型が全顎タイプのもの、即ち上歯全体（又は下歯全体）のものに適用して説明する。
【００８８】
図９〜図１１において、この第４の実施形態の歯科技工用作業模型における支持基台１０Ｃは、略Ｕ字状の支持基台本体１２Ｃを備え、この支持基台本体１２Ｃの上端部に上壁１６Ｃが設けられ、かかる上壁１６Ｃが略Ｕ字状の弧状に延び、この上壁１６Ｃの上面が支持領域１８Ｃとして機能し、この支持基台本体１２Ｃの内側が接続部７２により接続されている。
【００８９】
この第４の実施形態の歯科技工用作業模型の支持基台１０Ｃにおいては、図９〜図１１と図２及び図３（第１の実施形態）とを対比することによって理解される如く、支持基台１０Ｃ（支持基台本体１２Ｃ）の構成に加えて、片側係合突条２６Ｃ（内側係合突条）及び他側係合突条２８Ｃ（外側係合突条）並びにこれらに関連する構成に修正が施されている。更に説明すると、支持基台１０Ｃの上壁１６Ｃ（支持領域１８Ｃ）が略Ｕ字状であることに関連して、その片側側部（内側側部）に設けられた片側係合突条２６Ｃ（内側係合突条）は略Ｕ字状の弧状に延び、またその他側側部（外側側部）に設けられた他側係合突条２８Ｃ（外側係合突条）も略Ｕ字状の弧状に延びている。
【００９０】
また、支持基台１０Ｃ（支持基台本体１２Ｃ）の支持領域１８Ｃには、第１及び第２挿入孔列１９Ｃ，２０Ｃが設けられ、第１挿入孔列１９Ｃの複数（この形態では、１４個）の第１挿入孔２１Ｃは、他側係合突条２８Ｃの内側（支持基台１０Ｃの幅方向において外側）にこれに沿って設けられ、第２挿入孔列２０Ｃの複数（この形態では、１４個）の第２挿入孔２２Ｃは、第１挿入孔列１９Ｃの幅方向内側に各第１挿入孔２１Ｃに対応して設けられ、第１及び第２挿入孔列１９Ｃ，２０Ｃ（複数の第１及び第２挿入孔２１Ｃ，２２Ｃ）は、支持基台１０Ｃ（支持基台本体１２Ｃ）の上壁１６Ｃの上面、即ち支持領域１８Ｃの幅方向の中心線Ｐ１（図１０参照）よりも他側、即ち他側係合突条２８Ｃ側に配置されている。
【００９１】
第１挿入孔列１９Ｃの複数の第１挿入孔２１Ｃは、この支持基台本体１２Ｃにおける上壁１６Ｃの上面（即ち、支持領域１８Ｃ）の幅をＷとしたときに、その片側側端からの距離Ｗ１（具体的には、第１挿入孔２１Ｃの中心線Ｐ２までの距離）が、例えば（３Ｗ／５）＜Ｗ１＜（４Ｗ／５）の範囲に配置され、第２挿入孔列２０Ｃの複数の第２挿入孔２２Ｃは、その片側側端からの距離Ｗ２（具体的には、第２挿入孔２２Ｃの中心線Ｐ３までの距離）が、例えば（Ｗ／２）＜Ｗ２＜（３Ｗ／５）の範囲に配置される。
【００９２】
また、支持基台１０Ｃの片側係合突条２６Ｃの内側面には、第１及び第２挿入孔列１９Ｃ，２０Ｃの複数の第１及び第２挿入孔２１Ｃ，２２Ｃに対応して係合補助突条３０Ｃが設けられ、各係合補助突条３０Ｃは、対応する第２挿入孔２２Ｃ（第１挿入孔２１Ｃ）に向けて直線状に延びている。これら係合補助突条３０Ｃは、実質上等しい長さであり、対応する第２挿入孔２２Ｃの近傍まで延びているが、この第２挿入孔２２Ｃまで延びるように構成することもできる。
【００９３】
この第４の実施形態では、第１挿入孔列１９Ｃの複数の第１挿入孔２１Ｃは、第２挿入孔列２０Ｃの複数の第２挿入孔２２Ｃと同じ大きさであり、従って第１挿入孔列１９Ｃ（複数の第１挿入孔２１Ｃ）に挿入される第１ダウエルピン列の第１ダウエルピン（図示せず）と第２挿入孔列２０Ｃの複数の第２挿入孔２２Ｃに挿入される第２ダウエルピン列の第２ダウエルピン（図示せず）とは同じサイズのものが用いられ、このような場合、サイズ（外径）の小さいものを用いるのが好ましい。
【００９４】
この第４の実施形態では、更に、対となる第１及び第２挿入孔２１Ｃ，２２Ｃに対応して、支持基台本体１２の突出部２４の下端部に楕円状凹部２５Ｃが設けられ、第１及び第２挿入孔２１Ｃ，２２Ｃの先端部は、かかる楕円状凹部２５Ｃに連通している。このように構成されているので、第１及び第２挿入孔２１Ｃ，２２Ｃに挿入された第１及び第２ダウエルピン（図示せず）の先端部は、この楕円状凹部２５Ｃ内に位置し、かかる楕円状凹部２５Ｃから外側に突出することはない。
【００９５】
この第４の実施形態の歯科技工用作業模型では、固定用プレート（図示せず）は、上述した第１の実施形態と同様に、この支持基台１０Ｃの上端部に成型用基枠（図示せず）を取り付け（その内側部は、接続部７２に当接支持され、その外側部は複数の位置決め用突部３２に当接支持される）、この成型用基枠内に規定された注入空間内に石膏を注入することにより形成される。
【００９６】
このようなことから、支持基台１０Ｃの構成が上述した通りである場合、この支持基台１０Ｃの上面に対応する固定用プレートの下面は、図示していないが、次の通りの構成となる。即ち、固定用プレートは、支持基台１０Ｃ（支持基台本体１２Ｃ）の支持領域１８Ｃの形状に対応して略Ｕ字状に形成され、この支持領域１８Ｃに沿って第１及び第２ダウエルピン列（図示せず）が設けられる。
【００９７】
また、支持基台１０Ｃ（支持基台本体１２Ｃ）の片側側部（内側側部）の片側係合突条２６Ｃに対応して固定用プレート（プレート本体）の片側側部（内側側部）に片側係合凹条が設けられ、その他側側部（外側側部）の他側係合突条２８Ｃに対応して固定用プレートの他側側部（外側側部）に他側係合凹条が設けられ、第１ダウエルピン列の複数の第１ダウエルピンは、支持基台１０Ｃ側の第１挿入孔列１９Ｃの複数の第１挿入孔２１Ｃに対応して、固定用プレートにおける他側側部（外側側部）の他側係合凹条の内側に配設され、第２ダウエルピン列の複数の第２ダウエルピンは、第１ダウエルピン列の複数の第１ダウエルピンに対応してその内側に配設される。
【００９８】
また、支持基台１０Ｃの複数の係合補助突条３０Ｃに対応して固定用プレートには複数の係合補助凹条が設けられ、これら係合補助凹条は、固定用プレートの片側係合凹条から対応する第１及び第２ダウエルピンに向けて直線状に延びている。この第４の実施形態の歯科技工用作業模型のその他の構成は、上述した第１の実施形態と実質上同一である。
【００９９】
この第４の実施形態の歯科技工用作業模型にて、支持基台１０Ｃ（支持基台本体１２Ｃ）の上面（支持領域１８Ｃ）に固定用プレートを支持する支持状態（即ち、第１及び第２挿入孔列１９Ｃ，２０Ｃの複数の第１及び第２挿入孔２１Ｃ，２２Ｃに第１及び第２ダウエルピン列の対応する第１及び第２ダウエルピンを挿入して支持された支持状態）においては、支持基台１０Ｃ（支持基台本体１２Ｃ）側の片側係合突条２６Ｃ及び他側係合突条２８Ｃと固定用プレート（プレート本体）側の片側係合凹条及び他側係合凹条（いずれも図示せず）とが相互に係合するとともに、支持基台１０Ｃ側の複数の係合補助突条３０Ｃと固定用プレート側の複数の係合補助凹条（図示せず）とが相互に係合し、これにより、全顎タイプの歯科技工用作業模型においても、支持基台１０Ｃと固定用プレート（図示せず）との係合状態をガタ、回動などなく保持することができる。
【０１００】
〈第５の実施形態〉
次に、図１２を参照して、本発明に従う歯科技工用作業模型の第５の実施形態について説明する。この第５の実施形態では、図１２と図１０（第４の実施形態）とを対比することによって理解される如く、全顎タイプのものにおいて第１及び第２挿入孔列並びに係合補助突条及びこれらの関連する構成に修正が施されている。
【０１０１】
図１２において、この第５の実施形態の歯科技工用作業模型における支持基台１０Ｄは、全顎タイプの歯形模型に適用するものであり、このことに関連して、第１及び第２挿入孔２１Ｄ，２２Ｄ（換言すると、これら第１及び第２挿入孔２１Ｄ，２２Ｄに挿入された第１及び第２ダウエルピン）は、この支持領域１８Ｄに沿って１４個設けられ、支持基台本体１２Ｄの上壁１６Ｄ（即ち、支持領域１８Ｄ）の両端側ほど第１及び第２挿入孔２１Ｄ，２２Ｄ間の間隔（即ち、隣接する第１ダウエルピン間及び隣接する第２ダウエルピン間の間隔）が大きくなっている。
【０１０２】
このことに関連して、複数（この形態では、１４個）の係合補助突条３０Ｄのうち支持基台本体１２Ｄの上壁１６Ｄ（即ち、支持領域１８Ｄ）の両端側に位置する複数（この形態では、２個ずつの合計４個）の第１係合補助突条３０Ｄａは、対応する第１及び第２挿入孔２１Ｄ，２２Ｄに向けて支持領域１８Ｄの幅方向の中心線Ｐ１の付近まで延び、これらの係合補助突条３０Ｄの残りの複数（この形態では、１０個）の第２係合補助突条３０Ｄｂは、対応する第１及び第２挿入孔２１Ｄ，２２Ｄに向けてこの中心線Ｐ１の途中まで延び、第１係合補助突条３０Ｄａは第２係合補助突条３０Ｄｂよりも内側に大きく延びている。
【０１０３】
この形態では、第１係合補助突条３０Ｄａを支持領域１８Ｄの両端部に２つずつ設けているが、１つ又は３つ以上設けるようにしてもよく、二つ以上設ける場合、複数の第２係合補助突条３０Ｄｂの長さを外側ほど長くなるように構成するようにしてもよい。
【０１０４】
この第５の実施形態では、更に、上述した第３の実施形態（図８）と略同様に、この支持基台１０Ｄ（支持基台本体１２Ｄ）の支持領域１８Ｄに設けられた第２挿入孔列２０Ｄの複数（この例では、１４個）の第２挿入孔２２Ｄ（具体的には、第２挿入孔２２Ｄの中心線Ｐ３）は、支持基台１０Ｄ（支持基台本体１２Ｄ）の支持領域１８Ｄの幅方向中心線Ｐ１の上に配設されている。また、支持領域１８Ｄに設けられた第１挿入孔列１９Ｄの複数（この例では、１４個）の第１挿入孔２１Ｄは、支持基台１０Ｄ（支持基台本体１２Ｄ）の他側係合突条２８Ｄと第２挿入孔列２０Ｄ（即ち、幅方向の中心線Ｐ１）との間のほぼ中央に配設されている。
【０１０５】
このように構成した場合にも、上述したと同様に、支持基台１０Ｄ（支持基台本体１２Ｄ）の片側側部から第２挿入孔列２０Ｄ（複数の第２挿入孔２２Ｄ）までの幅（長さ）が、この支持基台１０Ｄ（支持基台本体１２Ｄ）の他側側部から第１挿入孔列１９Ｄ（複数の第１挿入孔２１Ｄ）までの幅（長さ）よりも大きくなり、従って、この支持基台１０Ｄの他側側から切断したときに、第１及び第２ダウエルピン、特に第２ダウエルピンを切断するおそれを従来よりも少なくすることができる。
【０１０６】
この第５の実施形態の歯科技工用作業模型では、固定用プレート（図示せず）は、上述した第１の実施形態と同様に、この支持基台１０Ｄの上端部に成型用基枠（図示せず）を取り付け、この成型用基枠内に規定された注入空間内に石膏を注入することにより形成される。
【０１０７】
このようなことから、支持基台１０Ｄの構成が上述した通りである場合、この支持基台１０Ｄの上面に対応する固定用プレートの下面は、図示していないが、次の通りの構成となる。即ち、固定用プレートは、支持基台１０Ｄ（支持基台本体１２Ｄ）の支持領域１８Ｄの形状に対応して略Ｕ字状に形成され、この支持領域１８Ｄに沿って第１及び第２ダウエルピン列が設けられ、第１ダウエルピン列の複数の第１ダウエルピンが支持基台１０Ｄ側の第１挿入孔列１９Ｄの対応する挿入孔２１Ｄに挿入され、第２ダウエルピン列の複数の第２ダウエルピンがその第２挿入孔列２０Ｄの対応する第２挿入孔２２Ｄに挿入される。
【０１０８】
また、支持基台１０Ｄ（支持基台本体１２Ｄ）の片側側部（内側側部）の片側係合突条２６Ｄに対応して固定用プレート（プレート本体）の片側側部（内側側部）に片側係合凹条が設けられ、その他側側部（外側側部）の他側係合突条２８Ｄに対応して固定用プレートの他側側部（外側側部）に他側係合凹条が設けられる。
【０１０９】
また、支持基台１０Ｄの複数の係合補助突条３０Ｄ（第１係合補助突条３０Ｄａ及び第２係合補助突条３０Ｄｂ）に対応して固定用プレートには複数の係合補助凹条（第１係合補助凹条及び第２係合補助凹条）が設けられ、これら係合補助凹条（第１係合補助凹条及び第２係合補助凹条）は、固定用プレートの片側係合凹条から第２ダウエルピン列の対応する第２ダウエルピンに向けて直線状に延び、固定用プレートの両端側に配設された第１係合補助凹条は、その中間部に配設された残りの第２係合補助凹条よりも内側に大きく延びている。この第５の実施形態の歯科技工用作業模型のその他の構成は、上述した第４の実施形態と実質上同一である。
【０１１０】
この第５の実施形態の歯科技工用作業模型においては、支持基台１０Ｄ（支持基台本体１２Ｄ）の上面（支持領域１８Ｄ）に固定用プレートを支持する支持状態においては、支持基台１０Ｄ（支持基台本体１２Ｄ）側の片側係合突条２６Ｄ及び他側係合突条２８Ｄと固定用プレート（プレート本体）側の片側係合凹条及び他側係合凹条（いずれも図示せず）とが相互に係合するとともに、支持基台１０Ｄ側の複数の係合補助突条３０Ｄ（第１係合補助突条３０Ｄａ及び第２係合補助突条３０Ｄｂ）と固定用プレート側の複数の係合補助凹条（第１係合補助凹条及び第２係合補助凹条）（いずれも図示せず）とが相互に係合し、これにより、全顎タイプの歯科技工用作業模型においても、支持基台１０Ｂと固定用プレート（図示せず）との係合状態をガタ、回動などなく保持することができる。
【０１１１】
〈第６の実施形態〉
次に、図１３を参照して、本発明に従う歯科技工用作業模型の第６の実施形態について説明する。この第６の実施形態においては、図１３と図１２（第５の実施形態）とを対比することによって理解される如く、片側係合突条２６Ｅ及び他側係合突条２８Ｅに関連する構成に、図６及び図７（第２の実施形態）に示すような修正が施され、加えて係合補助突条、特に第１係合補助突条に次の修正が施されている。
【０１１２】
図１３において、支持基台１０Ｅ（支持基台本体１２Ｅ）の片側側部（内側側部）に設けられた片側係合突条２６Ｅ（内側係合突条）には、隣接する係合補助突条３０Ｅ間に片側傾斜突部８２が設けられているとともに、両端側の係合補助突条３０Ｅ（第１係合補助突条３０Ｅａ）の外側に外側傾斜突部８４が設けられている。片側傾斜突部８２及び外側傾斜突部８４は、片側係合突条２６Ｅの内側面から内側に延び、それらの上面は内側に向けて下方に傾斜して支持領域１８Ｅ（上壁１６Ｅの上面）まで延びている。
【０１１３】
また、支持基台１０Ｅ（支持基台本体１２Ｅ）の他側側部（外側側部）に設けられた他側係合突条２８Ｅ（外側傾斜突条）には、他側傾斜突部８６が設けられており、この他側傾斜突部８６は、他側係合突条２８Ｅの一端側から他端側までほぼ全長にわたって設けられている。この他側傾斜突部８６は、他側係合突条２８Ｅの内側面から内側に延び、その上面は内側に向けて下方に傾斜して支持領域１８Ｅまで延びている。これら片側傾斜突部８２及び外側傾斜突部８４並びに他側傾斜突部８６の傾斜角度は、上述したと同様に、例えば３０〜７０度程度に設定され、４０〜６０度の角度範囲が好ましい。
【０１１４】
この第６実施形態では、片側傾斜突部８２の全体においてその長手方向に沿って間隔をおいて複数の片側係合凹部８８が設けられ、これら片側係合凹部８８は、支持基台本体１２Ｅの上面まで延びている。尚、隣接する係合補助突条３０Ｅ（この形態では、一部の第２係合補助突条３０Ｅｂ）間の間隔が小さい部分（例えば、Ｕ字状の底部付近）ではこの片側係合凹部８８が省略されている。
【０１１５】
また、他側傾斜突部８６においてはその長手方向に沿って（即ち、この他側傾斜突部８６に沿って）間隔をおいて複数の他側係合凹部９０が設けられ、これら他側係合凹部９０は、片側係合凹部８８と同様に、支持基台本体１２Ｅの上面まで延びている。
【０１１６】
この実施形態では、片側傾斜突部８２に複数の片側係合凹部８８を設け、他側傾斜突部８６に複数の他側係合凹部９０を設けているが、これら片側係合凹部８８及び／又は他側係合凹部９０を省略することもできる。
【０１１７】
また、複数の係合補助突条３０Ｅのうち支持領域１８Ｅの両端部側に位置する二つ（合計４つ）の第１係合補助突条３０Ｅａは、それらの残りの第２係合補助突条３０Ｅｂよりも内側に大きく延び、第１係合補助突条３０Ｅａについては弧状に曲線状して延び、第２係合補助突条３０Ｅｂについては直線状に延びている。尚、第１係合補助突条３０Ｅａについては、Ｓ字状、波状などとすることができる。
【０１１８】
この第６の実施形態の歯科技工用作業模型においても、固定用プレート（図示せず）は、上述した第１〜第５の実施形態と同様に、この支持基台１０Ｅの上端部に成型用基枠（図示せず）を取り付け、この成型用基枠内に規定された注入空間に石膏を注入することにより形成される。
【０１１９】
このようなことから、支持基台１０Ｅの構成が上述した通りである場合、この支持基台１０Ｅの上面に対応する固定用プレートの下面は、図示していないが、次の通りの構成となる。即ち、支持基台１０Ｅ（支持基台本体１２Ｅ）の片側係合突条２６Ｅ（内側係合突条）に対応して固定用プレート（プレート本体）の片側側部に片側係合凹条（内側係合凹条）が設けられ、その他側係合突条２８Ｅに対応して固定用プレートの他側側部に他側係合凹条（外側係合凹条）が設けられる。また、支持基台１０Ｅの複数の係合補助突条３０Ｅ（第１係合補助突条３０Ｅａ及び第２係合補助突条３０Ｅｂ）に対応して固定用プレートには複数の係合補助凹条（第１係合補助凹条及び第２係合補助凹条）が設けられる。
【０１２０】
更に、支持基台１０Ｅの片側傾斜突部８２及び外側傾斜突部８４に対応して、固定用プレートの片側側部（内側側部）に片側傾斜凹部及び外側傾斜凹部が設けられるとともに、その他側傾斜突部８６に対応して、固定用プレートの他側側部（外側側部）に他側傾斜凹部が設けられる。更にまた、支持基台１０Ｅの片側傾斜突部８２に設けられた複数の片側係合凹部８８に対応して、固定用プレートの片側傾斜凹部に複数の片側係合突部が設けられるとともに、その他側傾斜突部８６に設けられた複数の他側係合凹部９０に対応して、固定用プレートの他側傾斜凹部に複数の他側係合突部が設けられる。この第６の実施形態の歯科技工用作業模型のその他の構成は、上述した第５の実施形態と実質上同一である。
【０１２１】
この第６の実施形態の歯科技工用作業模型にて、支持基台１０Ｅ（支持基台本体１２Ｅ）の上面（支持領域１８Ｅ）に固定用プレートを支持する支持状態（支持基台１０Ｅ側の第１及び第２挿入孔列１９Ｃ，２０Ｃの複数の第１及び第２挿入孔２１Ｃ，２２Ｃに固定用プレート側の第１及び第２ダウエルピン列の対応する第１及び第２ダウエルピンを挿入して支持された状態）においては、支持基台１０Ｅ（支持基台本体１２Ｅ）側の片側係合突条２６Ｅ及び他側係合突条２８Ｅと固定用プレート（プレート本体）側の片側係合凹条及び他側係合凹条（いずれも図示せず）とが相互に係合するとともに、支持基台１０Ｅ側の複数の係合補助突条３０Ｅ（第１係合補助突条３０Ｅａ及び第２係合補助突条３０Ｅｂ）と固定用プレート側の複数の係合補助凹条（第１係合補助凹条及び第２係合補助凹条）（図示せず）とが相互に係合する。
【０１２２】
更に、支持基台１０Ｅ側の片側傾斜突部８２及び外側傾斜突部８４並びに他側傾斜突部８６と固定用プレートの片側傾斜凹部及び外側傾斜凹部並びに他側傾斜凹部（いずれも図示せず）とが相互に係合するとともに、支持基台１０Ｅ側の複数の片側係合凹部８８及び他側係合凹部９０と固定用プレート側の複数の片側係合突部及び他側係合突部（いずれも図示せせず）が相互に係合し、これにより、支持基台１０Ｅと固定用プレート（図示せず）との係合状態をより一層効果的にガタ、回動などの無い状態に保持することができる。
【０１２３】
〈第７の実施形態〉
次に、図１４を参照して、本発明に従う歯科技工用作業模型の第７の実施形態について説明する。この第７の実施形態の歯科技工用作業模型の支持基台１０Ｆにおいては、図１４と図１３（第６の実施形態）とを対比することによって理解される如く、係合補助突条３０Ｆ（特に、第１係合補助突条３０Ｆａ）に修正が施されている。
【０１２４】
図１４において、複数の係合補助突条３０Ｆの第１係合補助突条３０Ｆａ（支持領域１８Ｆの両端部に位置する係合補助突条）は、片側係合突条２６Ｆ（内側係合突条）の内側面から第２挿入孔列２０Ｆの対応する第２挿入孔２２Ｆ（この第２挿入孔２２Ｆに挿入された第２ダウエルピン）に向けて直線状に延び、それらの先端部は、他側係合突条２８Ｆに向けて両側に分岐し、第２挿入孔列２０Ｆの対応する第２挿入孔２２Ｆの両側近傍まで延びている。このように構成されているので、各第１係合補助突条３０Ｆａは、片側係合突条２６Ｅから直線状に延びる第１突条本体部３０Ｆａａと、この第１突条本体部３０Ｆａａの先端部から他側係合突条２８Ｆに向けて両側に分岐して延びる一対の第１分岐突条部３０Ｆａｂとを備えている。また、複数の係合補助突部３０Ｆの第２係合補助突条３０Ｆｂ（支持領域１８Ｆの中央部に位置する係合補助突条）は、この片側係合突条２６Ｆの内側面から他側係合突部２８Ｆに、この形態では第２挿入孔列２０Ｆの対応する第２挿入孔２２Ｆに向けて直線状に延びている。
【０１２５】
第１係合補助突条３０Ｆａの一対の第１分岐突条部３０Ｆａｂ間の角度α１は、例えば４０〜１４０度程度であり、例えば６０〜１２０度であるのが好ましく、このような角度範囲に設定することにより、一対の第１分岐突条部３０Ｆａｂを対応する第２挿入孔２２Ｆの両側に向けて設けることができる。
【０１２６】
この形態においては、第１係合補助突条３０Ｆａは、第２係合補助突条３０Ｆｂよりも内側に延び、その第１分岐突条部３０Ｆａｂは、第２係合補助突条３０Ｆｂの先端付近の長さ位置から分岐して対応する第２挿入孔２２Ｆの両側に延びている。
【０１２７】
この第７の実施形態の歯科技工用作業模型においても、固定用プレート（図示せず）は、上述した第１〜第６の実施形態と同様に、この支持基台１０Ｆの上端部に成型用基枠（図示せず）を取り付け、この成型用基枠内に規定された注入空間に石膏を注入することにより形成される。
【０１２８】
このようなことから、支持基台１０Ｆの構成が上述した通りである場合、この支持基台１０Ｆの上面に対応する固定用プレートの下面は、図示していないが、次の通りの構成となる。即ち、支持基台１０Ｆ（支持基台本体１２Ｆ）の片側係合突条２６Ｆ（内側係合突条）に対応して固定用プレート（プレート本体）の片側側部に片側係合凹条（内側係合凹条）が設けられ、その他側係合突条２８Ｆに対応して固定用プレートの他側側部に他側係合凹条（外側係合凹条）が設けられる。また、支持基台１０Ｆの複数の係合補助突条３０Ｆの第１係合補助突条３０Ｆａ（第１突条本体部３０Ｆａａ及び一対の第１分岐突条部３０Ｆａｂ）に対応して固定用プレートに複数の係合補助凹条の第１係合補助凹条（第１凹条本体部及び一対の第１分岐凹条部）が設けられるとともに、複数の係合補助突条３０Ｆの第２係合補助突条３０Ｆｂに対応して固定用プレートに複数の係合補助凹条の第２係合補助凹条が設けられる。
【０１２９】
更に、支持基台１０Ｆの片側傾斜突部８２及び外側傾斜突部８４に対応して、固定用プレートの片側側部（内側側部）に片側傾斜凹部及び外側傾斜凹部が設けられるとともに、その他側傾斜突部８６に対応して、固定用プレートの他側側部（外側側部）に他側傾斜凹部が設けられる。更にまた、支持基台１０Ｆの片側傾斜突部８２に設けられた複数の片側係合凹部８８に対応して、固定用プレートの片側傾斜凹部に複数の片側係合突部が設けられるとともに、その他側傾斜突部８６に設けられた複数の他側係合凹部９０に対応して固定用プレートの他側傾斜凹部に複数の他側係合突部が設けられる。この第７の実施形態の歯科技工用作業模型のその他の構成は、上述した第６の実施形態と実質上同一である。
【０１３０】
この第７の実施形態の歯科技工用作業模型にて、支持基台１０Ｆ（支持基台本体１２Ｆ）の上面（支持領域１８Ｆ）に固定用プレートを支持した支持状態においては、支持基台１０Ｆ（支持基台本体１２Ｆ）側の片側係合突条２６Ｆ及び他側係合突条２８Ｆと固定用プレート（プレート本体）側の片側係合凹条及び他側係合凹条（いずれも図示せず）とが相互に係合する。また、支持基台１０Ｆ側の複数の係合補助突条３０Ｆの第１係合補助突条３０Ｆａ（第１突条本体部３０Ｆａａ及び一対の第１分岐突条部３０Ｆａｂ）と固定プレート側の複数の係合補助凹条の第１係合補助凹条（第１凹条本体部及び一対の第１分岐凹条部）とが係合するとともに、支持基台１０Ｆ側の複数の係合補助突条３０Ｆの第２係合補助突条３０Ｆｂと固定プレート側の複数の係合補助凹条の第２係合補助凹条とが係合する。
【０１３１】
更に、第６の実施形態と同様に、支持基台１０Ｆ側の片側傾斜突部８２及び外側傾斜突部８４並びに他側傾斜突部８６と固定用プレートの片側傾斜凹部及び外側傾斜凹部並びに他側傾斜凹部（いずれも図示せず）とが相互に係合するとともに、支持基台１０Ｆ側の複数の片側係合凹部８８及び他側係合凹部９０と固定用プレート側の複数の片側係合突部及び他側係合突部（いずれも図示せせず）が相互に係合し、これにより、支持基台１０Ｆと固定用プレートとの係合状態をより一層効果的にガタ、回動などの無い状態に保持することができる。
【０１３２】
〈第８の実施形態〉
次に、図１５を参照して、本発明に従う歯科技工用作業模型の第８の実施形態について説明する。この第８の実施形態の歯科技工用作業模型の支持基台１０Ｇにおいては、図１５と図１４（第７の実施形態）とを対比することによって理解される如く、係合補助突条３０Ｇの第２係合補助突条３０Ｇｂに修正が施されている。
【０１３３】
図１５において、この第８の実施形態では、複数の係合補助突条３０Ｇの第１係合補助突条３０Ｇａ（支持領域１８Ｇの両端部に位置する係合補助突条）は、第７の実施形態と同様に、片側係合突条２６Ｇ（内側係合突条）の内側面から第２挿入孔列２０Ｇの対応する第２挿入孔２２Ｇ（この第２挿入孔２２Ｇに挿入されたダウエルピン）に向けて直線状に延び、それらの先端部は、他側係合突部２８Ｇ側に向けて分岐して第２挿入孔列２０Ｇの対応する第２挿入孔２２Ｇの両側に延びており、各第１係合補助突条３０Ｇａは、片側係合突条２６Ｇから直線状に延びる第１突条本体部３０Ｇａａと、この第１突条本体部３０Ｇａａの先端部から他側係合突条２８Ｇ側に向けて分岐して延びる一対の第１分岐突条部３０Ｇａｂとを備えている。
【０１３４】
更に、複数の係合補助突条３０Ｇの第２係合補助突条３０Ｇｂ（支持領域１８Ｇの中央部に位置する係合補助突条）は、上述の第１係合補助突条３０Ｇａと同様に、片側係合突条２６Ｇ（内側係合突条）の内側面から第２挿入孔列２０Ｇの対応する第２挿入孔２２Ｇ（この第２挿入孔２２Ｇに挿入された第２ダウエルピン）に向けて直線状に延び、それらの先端部は、他側係合突条２８Ｇ側に向けて両側に分岐して第２挿入孔列２０Ｇの第２挿入孔２２Ｇの両側に延びており、各第２係合補助突条３０Ｇｂも、片側係合突条２６Ｇから直線状に延びる第２突条本体部３０Ｇｂａと、この第２突条本体部３０Ｇｂａの先端部から他側係合突条２８Ｇ側に分岐して延びる一対の第２分岐突条部３０Ｇｂｂとを備えている。この第８の実施形態における支持基台１０Ｇのその他の構成は、上述した第７の実施形態と実質上同一である。尚、第１係合補助突条３０Ｇａの一対の第１分岐突条部３０Ｇａｂ間の角度α１及び第２係合補助突条３０Ｇｂの一対の第２分岐突条部３０Ｇｂｂ間の角度α２は、例えば４０〜１４０度程度であり、例えば６０〜１２０度であるのが好ましい。
【０１３５】
この第８の実施形態の歯科技工用作業模型においても、固定用プレート（図示せず）は、上述した第１〜第７の実施形態と同様に、この支持基台１０Ｇの上端部に成型用基枠（図示せず）を取り付け、この成型用基枠内に規定された注入空間に石膏を注入することにより形成される。
【０１３６】
このようなことから、支持基台１０Ｇの構成が上述した通りである場合、この支持基台１０Ｇの上面に対応する固定用プレートの下面は、図示していないが、次の通りの構成となる。即ち、支持基台１０Ｇの複数の係合補助突条３０Ｇの第１係合補助突条３０Ｇａ（第１突条本体部３０Ｇａａ及び一対の第１分岐突条部３０Ｇａｂ）に対応して固定用プレートには複数の係合補助凹条の第１係合補助凹条（第１凹条本体部及び一対の第１分岐凹条部）が設けられるとともに、複数の係合補助突条３０Ｇの第２係合補助突条３０Ｇｂ（第２突条本体部３０Ｇｂａ及び一対の第２分岐突条部３０Ｇｂｂ）に対応して固定用プレートには複数の係合補助凹条の第２係合補助凹条（第２凹条本体部及び一対の第２分岐凹条部）が設けられ、この固定用プレートのその他の構成は、第７の実施形態のものと実質上同一である。
【０１３７】
この第８の実施形態の歯科技工用作業模型にて、支持基台１０Ｇ（支持基台本体１２Ｇ）の上面（支持領域１８Ｇ）に固定用プレートを支持した支持状態においては、支持基台１０Ｇ（支持基台本体１２Ｇ）側の複数の係合補助突条３０Ｇの第１係合補助突条３０Ｇａ（第１突条本体部３０Ｇａａ及び一対の第１分岐突条部３０Ｇａｂ）と固定プレート側の複数の係合補助凹条の第１係合補助凹条（第１凹条本体部及び一対の第１分岐凹条部）とが係合するとともに、複数の係合補助突条３０Ｇの第２係合補助突条３０Ｇｂ（第２突条本体部３０Ｇｂａ及び一対の第２分岐突条部３０Ｇｂｂ）と固定プレート側の複数の係合補助凹条の第２係合補助凹条（第２凹条本体部及び一対の第２分岐凹条部）とが係合する。尚、支持基台１０Ｇと固定用プレートとのその他の係合状態は、上述の第７の実施形態と同様となる。
【０１３８】
〈第９の実施形態〉
次に、図１６を参照して、本発明に従う歯科技工用作業模型の第９の実施形態について説明する。この第９の実施形態の歯科技工用作業模型の支持基台１０Ｈ（部分タイプのもの）においては、図１６と図６（第２の実施形態）とを対比することによって理解される如く、係合補助突条３０Ｈに修正が施されている。
【０１３９】
図１６において、複数の係合補助突条３０Ｈは、片側係合突条２６Ｈの内側面から第２挿入孔列２０Ｈの対応する第２挿入孔２２Ｈ（この第２挿入孔２２Ｈに挿入されたダウエルピン）に向けて直線状に延び、それらの先端部は、他側係合突条２８Ｈ側に向けて延び、対応する第２挿入孔２２Ｈの両側近傍まで延びている。このように構成されているので、各係合補助突条３０Ｈは、片側係合突条２６Ｈから直線状に延びる突条本体部３０Ｈａと、この突条本体部３０Ｈａの先端部から分岐して他側係合突条２８Ｈに延びる一対の分岐突条部３０Ｈｂとを備えている。この基台本体１０Ｈのその他の構成は、上述の第２の実施形態と同様である。
【０１４０】
基台本体１０Ｈのこの構成に関連して、固定用プレートには、支持基台１０Ｈ（支持基台本体１２Ｈ）の複数の係合補助突条３０Ｈ（突条本体部３０Ｈａ及び一対の分岐突条部３０Ｈｂ）に対応して複数の係合補助凹条（凹条本体部及び一対の分岐凹条部）が設けられ、基台本体１０Ｈに固定用プレートを装着した状態では、支持基台１０Ｈ側の複数の係合補助突条３０Ｈ（突条本体部３０Ｈａ及び一対の分岐突条部３０Ｈｂ）と固定用プレート側の複数の係合補助凹条（凹条本体部及び一対の分岐凹条部）とが係合する。
【０１４１】
この第９の実施形態の歯科技工用作業模型のその他の構成は、上述した第２の実施形態と実質上同一であり、また支持基台１０Ｈと固定用プレートとのその他の係合状態は、上述の第２の実施形態と同様となる。
【０１４２】
〈第１０の実施形態〉
次に、図１７を参照して、本発明に従う歯科技工用作業模型の第１０の実施形態について説明する。この第１０の実施形態の歯科技工用作業模型の支持基台１０Ｊにおいては、図１７と図１４（第７の実施形態）とを対比することによって理解される如く、係合補助突条３０Ｊの第１係合補助突条３０Ｊａに修正が施されている。
【０１４３】
この第１０の実施形態では、係合補助突条３０Ｊにおける第１係合補助突条３０Ｊａ（支持領域１８Ｊの両端部に位置する係合補助突条）は、片側係合突条２６Ｊ（内側係合突条）の内側面から第２挿入孔列２０Ｆの対応する第２挿入孔２２Ｊ（この第２挿入孔２２Ｊに挿入された第２ダウエルピン列の対応する第２ダウエルピン）に向けて直線状に延びる第１突条本体部３０Ｊａａと、この第１突条本体部３０Ｊａａの先端部から片側係合突条２６Ｊ側に向けて両側に分岐して延びる一対の第１分岐突条部３０Ｊａｂとを有している。また、複数の係合補助突部３０Ｊの第２係合補助突条３０Ｊｂ（支持領域１８Ｊの中央部に位置する係合補助突条）は、第７の実施形態と同様に、この片側係合突条２６Ｊの内側面から対応する挿入孔２０に向けて直線状に延びている。
【０１４４】
第１係合補助突条３０Ｊａの一対の第１分岐突条部３０Ｊａｂ間の角度α３（第１突条本体部３０Ｊａａを夾む角度）は、例えば６０〜１４０度程度であり、例えば８０〜１２０度であるのが好ましく、このような角度範囲に設定することにより、一対の第１分岐突条部３０Ｊｂを片側係合突条２６側の両側に延びるように設けることができる。
【０１４５】
この形態においては、第１係合補助突条３０Ｊａは、第２係合補助突条３０Ｊｂよりも内側に大きく延び、その第１分岐突条部３０Ｊａｂは、第１突条本体部３０Ｊａａの先端部から側片側係合突条２６Ｊ側（第１突条本体部３０Ｊａａ側）に第２係合補助突条３０Ｊｂの先端部付近の長さまで延びている。
【０１４６】
この第１０の実施形態の歯科技工用作業模型においても、固定用プレート（図示せず）は、上述した第１〜第９の実施形態と同様に、この支持基台１０Ｊの上端部に成型用基枠（図示せず）を取り付け、この成型用基枠内に規定された注入空間に石膏を注入することにより形成される。
【０１４７】
このようなことから、固定用プレートには、支持基台１０Ｊ（支持基台本体１２Ｊ）の複数の係合補助突条３０Ｊのうち複数の第１係合補助突条３０Ｊａ（第１突条本体部３０Ｊａａ及び一対の第１分岐突条部３０Ｊａｂ）に対応して、複数の第１係合補助凹条（第１凹条本体部及び一対の第１分岐凹条部）が設けられ、またそれらのうち複数の第２係合補助突条３０Ｊｂに対応して、複数の第２係合補助凹条が設けられ、支持基台１０Ｊに固定用プレートを装着した状態では、支持基台１０Ｊ側の複数の第１係合補助突条３０Ｊａ（第１突条本体部３０Ｊａａ及び一対の第１分岐突条部３０Ｊａｂ）と固定用プレート側の複数の第１係合補助凹条（第１凹条本体部及び一対の第１分岐凹条部）とが係合するとともに、支持基台１０Ｊ側の複数の第２係合補助突条３０Ｊｂと固定用プレート側の複数の第２係合補助凹条とが係合する。
【０１４８】
この第１０の実施形態の歯科技工用作業模型のその他の構成は、上述した第７の実施形態と実質上同一であり、また支持基台１０Ｊと固定用プレートとのその他の係合状態は、上述の第７の実施形態と同様となる。
【０１４９】
〈第１１の実施形態〉
次に、図１８を参照して、本発明に従う歯科技工用作業模型の第１１の実施形態について説明する。この第１１の実施形態の歯科技工用作業模型の支持基台１０Ｋにおいては、図１８と図１５（第８の実施形態）とを対比することによって理解される如く、係合補助突条３０Ｋ（第１係合補助突条３０Ｋａ及び第２係合補助突条３０Ｋｂ）に修正が施されている。
【０１５０】
この第１１の実施形態では、係合補助突条３０Ｋにおける第１係合補助突条３０Ｋａ（支持領域１８Ｋの両端部に位置する係合補助突条）は、第１０の実施形態（図１７）と同様に、片側係合突条２６Ｋ（内側係合突条）の内側面から第２挿入孔列２０Ｋの対応する第２挿入孔２２Ｆ（この第２挿入孔２２Ｋに挿入された対応する第２ダウエルピン）に向けて直線状に延びる第１突条本体部３０Ｋａａと、この第１突条本体部３０Ｋａａの先端部から片側係合突条２６Ｋ側に向けて両側に分岐して延びる一対の第１分岐突条部３０Ｋａｂとを有している。また、複数の係合補助突部３０Ｋの第２係合補助突条３０Ｋｂ（支持領域１８Ｋの中央部に位置する係合補助突条）は、上述の第１係合補助突条３０Ｋａと同様に、片側係合突条２６Ｋ（内側係合突条）の内側面から対応する第２挿入孔２２Ｋ（この第２挿入孔２２Ｋに挿入された対応する第２ダウエルピン）に向けて直線状に延びる第２突条本体部３０Ｋｂａと、この第２突条本体部３０Ｋｂａの先端部から片側係合突条２６Ｋ側に向けて両側に分岐して延びる一対の第２分岐突条部３０Ｋｂｂとを有している。
【０１５１】
第１係合補助突条３０ｋａの一対の第１分岐突条部３０ｋａｂ間の角度α３（第１突条本体部３０ｋａａを夾む角度）は、例えば６０〜１４０度程度であり、例えば８０〜１２０度であるのが好ましく、また第２係合補助突条３０ｋｂの一対の第２分岐突条部３０ｋｂｂ間の角度α４（第２突条本体部３０ｋｂａを夾む角度）は、例えば６０〜１４０度程度であり、例えば８０〜１２０度であるのが好ましい。尚、第２係合補助突条３０Ｋｂ間の間隔は、第１係合補助突条３０Ｋａ間の間隔よりも小さくなっており、それ故に、一対の第２分岐突条部３０Ｋｂｂ間の角度α４を一対の第１分岐突条部３０Ｋａｂ間の角度α３よりも小さくなるようにしてもよい（α４＜α３）。
【０１５２】
この第１１の実施形態の歯科技工用作業模型においても、固定用プレート（図示せず）は、上述した第１〜第１０の実施形態と同様に、この支持基台１０Ｋの上端部に成型用基枠（図示せず）を取り付け、この成型用基枠内に規定された注入空間に石膏を注入することにより形成される。
【０１５３】
このようなことから、固定用プレートには、支持基台１０Ｋ（支持基台本体１２Ｋ）の複数の係合補助突条３０Ｋのうち複数の第１係合補助突条３０Ｋａ（第１突条本体部３０Ｋａａ及び一対の第１分岐突条部３０Ｋａｂ）に対応して、複数の第１係合補助凹条（第１凹条本体部及び一対の第１分岐凹条部）が設けられ、またそれらのうち複数の第２係合補助突条３０Ｋｂ（第２突条本体部及び一対の第２分岐突条部）に対応して、複数の第２係合補助凹条（第２凹条本体部及び一対の第２分岐凹条部）が設けられ、支持基台１０Ｋに固定用プレートを装着した状態では、支持基台１０Ｋ側の複数の第１係合補助突条３０Ｋａ（第１突条本体部３０Ｋａａ及び一対の第１分岐突条部３０Ｋａｂ）と固定用プレート側の複数の第１係合補助凹条（第１凹条本体部及び一対の第１分岐凹条部）とが係合するとともに、支持基台１０Ｋ側の複数の第２係合補助突条３０Ｋｂ（第２突条本体部３０Ｋｂａ及び一対の第２分岐突条部３０Ｋｂｂ）と固定用プレート側の複数の第２係合補助凹条（第２凹条本体部及び一対の第２分岐凹条部）とが係合する。
【０１５４】
この第１０の実施形態の歯科技工用作業模型のその他の構成は、上述した第８の実施形態と実質上同一であり、また支持基台１０Ｋと固定用プレートとのその他の係合状態は、上述の第８の実施形態と同様となる。
【０１５５】
〈第１２の実施形態〉
次に、図１９を参照して、本発明に従う歯科技工用作業模型の第１２の実施形態について説明する。この第１２の実施形態の歯科技工用作業模型の支持基台１０Ｌ（部分タイプのもの）においては、図１９と図１６（第９の実施形態）とを対比することによって理解される如く、係合補助突条３０Ｌに修正が施されている。
【０１５６】
図１９において、複数の係合補助突条３０Ｌは、片側係合突条２６Ｌの内側面から第２挿入孔列２０Ｈの対応する第２挿入孔２２Ｈ（この第２挿入孔２２Ｈに挿入された第２ダウエルピン）に向けて直線状に延び、それらの先端部は、片側係合突条２６Ｌ側に向けて両側に分岐して延びており、このような係合補助突条３０Ｌは、片側係合突条２６Ｌの内側面から対応する第２挿入孔２２Ｈに向けて直線状に延びる突条本体部３０Ｌａと、この突条本体部３０Ｌａの先端部から片側係合突条２６Ｌ側に向けて両側に分岐して延びる一対の分岐突条部３０Ｌｂとを有している。
【０１５７】
この第１２の実施形態の歯科技工用作業模型においても、固定用プレート（図示せず）は、上述した第１〜第１１の実施形態と同様に、この支持基台１０Ｌの上端部に成型用基枠（図示せず）を取り付け、この成型用基枠内に規定された注入空間に石膏を注入することにより形成される。
【０１５８】
このようなことから、固定用プレートには、支持基台１０Ｌ（支持基台本体１２Ｌ）の複数の係合補助突条３０Ｌ（突条本体部３０Ｌａ及び一対の分岐突条部３０Ｌｂ）に対応して、複数の係合補助凹条（凹条本体部及び一対の分岐凹条部）が設けられ、支持基台１０Ｌに固定用プレートを装着した状態では、支持基台１０Ｌ側の複数の係合補助突条３０Ｌａ（突条本体部３０Ｌａ及び一対の分岐突条部３０Ｌｂ）と固定用プレート側の複数の係合補助凹条（凹条本体部及び一対の分岐凹条部）とが係合される。
【０１５９】
この第１２の実施形態の歯科技工用作業模型のその他の構成は、上述した第９の実施形態と実質上同一であり、また支持基台１０Ｌと固定用プレートとのその他の係合状態は、上述の第９の実施形態と同様となる。
【０１６０】
〈第１３の実施形態〉
次に、図２０を参照して、本発明に従う歯科技工用作業模型の第１３の実施形態について説明する。この第１３の実施形態の歯科技工用作業模型の支持基台１０Ｍ（全顎タイプのもの）においては、図２０と図１４（第７の実施形態）とを対比することによって理解される如く、複数の係合補助突条３０Ｍに修正が施されている。
【０１６１】
図２０において、複数の係合補助突条３０Ｍの第１係合補助突条３０Ｍａ（支持領域１８Ｍの両端部に位置する係合補助突条）は、片側係合突条２６Ｍ（内側係合突条）の内側面から第２挿入孔列２０Ｍの対応する第２挿入孔２２Ｍ（この第２挿入孔２２Ｍに挿入された第２ダウエルピン）に向けて直線状に延び、それの中間部に一対の分岐突条部３０Ｍａｂが設けられており、各第１係合補助突条３０Ｍａは、片側係合突条２６Ｍから直線状に延びる突条本体部３０Ｍａａ（第１突条本体部に相当する）と、この突条本体部３０Ｍａａの中間部から他側係合突条２８Ｍ側に向けて分岐して延びる一対の分岐突条部３０Ｍａｂ（第１分岐突条部に相当する）とを備えている。また、複数の係合補助突部３０Ｍの第２係合補助突条３０Ｍｂ（支持領域１８Ｅの中央部に位置する係合補助突条）は、この片側係合突条２６Ｅの内側面から第２挿入孔列２０Ｍの対応する第２挿入孔２２Ｍに向けて直線状に延びている。
【０１６２】
この第１３の実施形態の歯科技工用作業模型においては、固定用プレートには、支持基台１０Ｍ（支持基台本体１２Ｍ）の複数の第１係合補助突条３０Ｍａ（突条本体部３０Ｍａａ及び一対の分岐突条部３０Ｍａｂ）に対応して、複数の第１係合補助凹条（凹条本体部及び一対の分岐凹条部）が設けられ、また支持基台１０Ｍの複数の第２係合補助突条３０Ｍｂに対応して、複数の第２係合補助凹条が設けられる。
【０１６３】
この第１３の実施形態の歯科技工用作業模型のその他の構成は、上述した第７の実施形態と実質上同一であり、また支持基台１０Ｍと固定用プレートとのその他の係合状態も、上述の第７の実施形態と同様となる。
【０１６４】
〈第１４の実施形態〉
次に、図２１を参照して、本発明に従う歯科技工用作業模型の第１４の実施形態について説明する。この第１４の実施形態の歯科技工用作業模型の支持基台１０Ｎにおいては、図２１と図１５（第８の実施形態）とを対比することによって理解される如く、複数の係合補助突条３０Ｎ（第１及び第２係合補助突条３０Ｎａ，３０Ｎｂ）に修正が施されている。
【０１６５】
図２１において、この第１４の実施形態では、複数の係合補助突条３０Ｎの第１係合補助突条３０Ｎａ（支持領域１８Ｎの両端部に位置する係合補助突条）は、第１３の実施形態と同様に、片側係合突条２６Ｎ（内側係合突条）の内側面から第２挿入孔列２０Ｎの対応する第２挿入孔２２（この第２挿入孔２２に挿入された第２ダウエルピン）に向けて直線状に延び、それらの中間部に一対の分岐突条部３０Ｎａｂが設けられており、各第１係合補助突条３０Ｎａは、片側係合突条２６Ｎから直線状に延びる第１突条本体部３０Ｎａａと、この第１突条本体部３０Ｎａａの中間部から他側係合突条２８Ｎに向けて両側に分岐して延びる一対の第１分岐突条部３０Ｎａｂとを備えている。
【０１６６】
また、複数の係合補助突条３０Ｎの第２係合補助突条３０Ｎｂ（支持領域１８Ｎの中央部に位置する係合補助突条）は、第１係合補助突条３０Ｎａと同様に、片側係合突条２６Ｎ（内側係合突条）の内側面から第２挿入孔列２０Ｎの対応する第２挿入孔２２（この第２挿入孔２２に挿入された第２ダウエルピン）に向けて直線状に延び、それの中間部には、一対の第２分岐突条部３０Ｎｂｂが設けられており、各第２係合補助突条３０Ｎｂも、片側係合突条２６Ｎから直線状に延びる第２突条本体部３０Ｎｂａと、この第２突条本体部３０Ｎｂａの中間部から他側係合突条２８Ｎ側に分岐して延びる一対の第２分岐突条部３０Ｎｂｂとを備えている。この第１４の実施形態における支持基台１０Ｎのその他の構成は、上述した第７の実施形態と実質上同一である。
【０１６７】
この第１４の実施形態の歯科技工用作業模型においては、支持基台１０Ｎの複数の係合補助突条３０Ｎの第１係合補助突条３０Ｎａ（第１突条本体部３０Ｎａａ及び一対の第１分岐突条部３０Ｎａｂ）に対応して固定用プレートには複数の係合補助凹条の第１係合補助凹条（第１凹条本体部及び一対の第１分岐凹条部）が設けられるとともに、複数の係合補助突条３０Ｎの第２係合補助突条３０Ｎｂ（第２突条本体部３０Ｎｂａ及び一対の第２分岐突条部３０Ｎｂｂ）に対応して固定用プレートには複数の係合補助凹条の第２係合補助凹条（第２凹条本体部及び一対の第２分岐凹条部）が設けられる。
【０１６８】
この第１４の実施形態の歯科技工用作業模型のその他の構成は、上述した第８の実施形態と実質上同一であり、また支持基台１０Ｎと固定用プレートとのその他の係合状態も、上述の第８の実施形態と同様となる。
【０１６９】
〈第１５の実施形態〉
次に、図２２を参照して、本発明に従う歯科技工用作業模型の第１５の実施形態について説明する。この第１５の実施形態の歯科技工用作業模型の支持基台１０Ｐ（部分タイプのもの）においては、図２２と図１６（第９の実施形態）とを対比することによって理解される如く、係合補助突条３０Ｐに修正が施されている。
【０１７０】
図２２において、複数の係合補助突条３０Ｐは、片側係合突条２６Ｐの内側面から第２挿入孔列２０Ｐの対応する第２挿入孔２２Ｐ（この第２挿入孔２２Ｐに挿入された第２ダウエルピン）に向けて直線状に延び、その中間部に一対の分岐突条部３０Ｐｂが設けられており、各係合補助突条３０Ｐは、片側係合突条２６Ｐから直線状に延びる突条本体部３０Ｐａと、この突条本体部３０Ｐａの中間部から他側係合突条２８Ｐに向けて分岐して両側に延びる一対の分岐突条部３０Ｐｂとを備えている。この支持基台１０Ｐのその他の構成は、上述の第９の実施形態と同様である。
【０１７１】
支持基台１０Ｐのこの構成に関連して、固定用プレートには、支持基台１０Ｐ（支持基台本体１２Ｐ）の複数の係合補助突条３０Ｐ（突条本体部３０Ｐａ及び一対の分岐突条部３０Ｐｂ）に対応して固定用プレートには複数の係合補助凹条（凹条本体部及び一対の分岐凹条部）が設けられる。
【０１７２】
この第１５の実施形態の歯科技工用作業模型のその他の構成は、上述した第９の実施形態と実質上同一であり、また支持基台１０Ｐと固定用プレートとのその他の係合状態も、上述の第９の実施形態と同様となる。
【０１７３】
以上、本発明に従う歯科技工用作業模型（及びその支持基台）の各種実施形態について説明したが、本発明はかかる実施形態に限定されるものではなく、本発明の範囲を逸脱することなく種々の変形乃至修正が可能である。
【符号の説明】
【０１７４】
２  歯科技工用作業模型
４  歯形模型
６  固定用プレート
７  第１ダウエルピン列
８  第２ダウエルピン列
９  第１ダウエルピン
１０，１０Ａ，１０Ｂ，１０Ｃ，１０Ｄ，１０Ｅ，１０Ｆ，１０Ｇ，１０Ｈ，１０Ｊ，１０Ｋ，１０Ｌ，１０Ｍ，１０Ｎ，１０Ｐ  支持基台
１１  第２ダウエルピン
１２，１２Ａ，１２Ｂ，１２Ｃ，１２Ｄ，１２Ｅ，１２Ｆ，１２Ｇ，１２Ｈ，１２Ｊ，１２Ｋ，１２Ｌ，１２Ｍ，１２Ｎ，１２Ｐ  支持基台本体
１８，１８Ａ，１８Ｂ，１８Ｃ，１８Ｄ，１８Ｅ，１８Ｆ，１８Ｇ，１８Ｈ，１８Ｊ，１８Ｋ，１８Ｌ，１８Ｍ，１８Ｎ，１８Ｐ  支持領域
１９，１９Ａ，１９Ｂ，１９Ｃ，１９Ｄ，１９Ｅ，１９Ｆ，１９Ｇ，１９Ｈ，１９Ｊ，１９Ｋ，１９Ｌ，１９Ｍ，１９Ｎ，１９Ｐ  第１挿入孔列
２０，２０Ａ，２０Ｂ，２０Ｃ，２０Ｄ，２０Ｅ，２０Ｆ，２０Ｇ，２０Ｈ，２０Ｊ，２０Ｋ，２０Ｌ，２０Ｍ，２０Ｎ，２０Ｐ  第２挿入孔列
２１，２１Ａ，２１Ｂ，２１Ｃ，２１Ｄ，２１Ｅ，２１Ｆ，２１Ｇ，２１Ｈ，２１Ｊ，２１Ｋ，２１Ｌ，２１Ｍ，２１Ｎ，２１Ｐ  第１挿入孔
２２，２２Ａ，２２Ｂ，２２Ｃ，２２Ｄ，２２Ｅ，２２Ｆ，２２Ｇ，２２Ｈ，２２Ｊ，２２Ｋ，２２Ｌ，２２Ｍ，２２Ｎ，２２Ｐ  第２挿入孔
２６，２６Ａ，２６Ｂ，２６Ｃ，２６Ｄ，２６Ｅ，２６Ｆ，２６Ｇ，２６Ｈ、２６Ｊ，２６Ｋ，２６Ｌ，２６Ｍ，２６Ｎ，２６Ｐ  片側係合突条
２８，２８Ａ，２８Ｂ，２８Ｃ，２８Ｄ，２８Ｅ，２８Ｆ，２８Ｇ，２８Ｈ，２８Ｊ，２８Ｋ，２８Ｌ，２８Ｍ，２８Ｎ，２８Ｐ  他側係合突条
３０，３０Ａ，３０Ｂ，３０Ｃ，３０Ｄ，３０Ｅ，３０Ｆ，３０Ｇ，３０Ｈ，３０Ｊ，３０Ｋ，３０Ｌ，３０Ｍ，３０Ｎ，３０Ｐ  係合補助突条
３４  プレート本体
３６  片側係合凹条
３８  他側係合凹条
４０  係合補助凹条
６２，８２  片側傾斜突部
６６，８６  他側傾斜突部
６８，８８  片側係合凹部
７０，９０  他側係合凹部
【図１】
2019025283.tif 000003
【図２】
2019025283.tif 000004
【図３】
2019025283.tif 000005
【図４】
2019025283.tif 000006
【図５】
2019025283.tif 000007
【図６】
2019025283.tif 000008
【図７】
2019025283.tif 000009
【図８】
2019025283.tif 000010
【図９】
2019025283.tif 000011
【図１０】
2019025283.tif 000012
【図１１】
2019025283.tif 000013
【図１２】
2019025283.tif 000014
【図１３】
2019025283.tif 000015
【図１４】
2019025283.tif 000016
【図１５】
2019025283.tif 000017
【図１６】
2019025283.tif 000018
【図１７】
2019025283.tif 000019
【図１８】
2019025283.tif 000020
【図１９】
2019025283.tif 000021
【図２０】
2019025283.tif 000022
【図２１】
2019025283.tif 000023
【図２２】
2019025283.tif 000024
【手続補正書】
【提出日】平成30年4月9日(2018.4.9)
【手続補正１】
【補正対象書類名】明細書
【補正対象項目名】００４２
【補正方法】変更
【補正の内容】
【００４２】
以下、添付図面を参照して、本発明に従う歯科技工用作業模型及びこれに用いる支持基台の各種実施形態について説明する。
なお、本発明において、前記支持基台の上面に設けられた支持領域は、前記固定用プレートの下面が当接される領域であり、通常、横長の又は弧状に伸びた形状の支持領域である。従って、本発明において支持領域の幅方向とは、上記横長の又は弧状に伸びた形状の長さ方向に対し直角方向を幅方向と言う。前記支持基台の上面に設けられた支持領域には、その長手方向に沿って前記第１ダウエルピン列に対応して第１挿入孔列が設けられているとともに、前記第２ダウエルピン列に対応して第２挿入孔列が設けられており、
前記第１挿入孔列は、前記第１ダウエルピン列の前記複数の第１ダウエルピンに対応して設けられた複数の第１挿入孔から構成され、前記第２挿入孔列は、前記第２ダウエルピン列の前記複数の第２ダウエルピンに対応して設けられた複数の第２挿入孔から構成されている。
そして、本発明においては、前記支持基台における前記支持領域の幅方向における支持領域側部の「片側側部」、「他側側部」とは、支持プレート上に歯形模型が設置される場合の、歯形模型の歯に相当する部分を基準にして、その裏側サイドの支持領域の側部を片側側部と言い、その表側サイドの側部を他側側部と言う。従って、支持領域の幅方向において第２挿入孔の列に近い方の支持領域側部を片側側部と言い、第１挿入孔の列に近い方の支持領域側部を他側側部と言うことになる。
【手続補正２】
【補正対象書類名】特許請求の範囲
【補正対象項目名】請求項１２
【補正方法】変更
【補正の内容】
【請求項１２】
歯形模型が固定される固定用プレートを支持するための合成樹脂から形成された支持基台本体を備えた歯科技工用作業模型の支持基台であって、
前記支持基台本体には、第１ダウエルピン列に対応して第１挿入孔列が配設されているとともに、前記第１ダウエルピン列の内側に配置される第２ダウエルピン列に対応して第２挿入孔列が配設されており、
前記第１挿入孔列は、前記第１ダウエルピン列の複数の第１ダウエルピンに対応して設けられた複数の第１挿入孔から構成され、前記第２挿入孔列は、前記第２ダウエルピン列の複数の第２ダウエルピンに対応して設けられた複数の第２挿入孔から構成されており、
また、前記支持基台における上面の支持領域の片側側部及び他側側部には、上方に突出する片側係合突条及び他側係合突条が設けられ、前記片側係合突条の内側面には、前記第２挿入孔列の前記複数の第２挿入孔に対応して複数の係合補助突条が設けられており、
更に、前記第１及び第２挿入孔列の前記複数の第１及び第２挿入孔は、前記支持基台における前記支持領域の幅方向の中央線よりも他側に配置され、前記支持領域の前記複数の係合補助突条は、前記第２挿入孔列の対応する第２挿入孔に向けて内側に延びていることを特徴とする歯科技工用作業模型の支持基台。
【手続補正３】
【補正対象書類名】特許請求の範囲
【補正対象項目名】請求項１３
【補正方法】変更
【補正の内容】
【請求項１３】
歯形模型が固定される固定用プレートを支持するための合成樹脂から形成された支持基台本体を備えた歯科技工用作業模型の支持基台であって、
前記支持基台本体には、第１ダウエルピン列に対応して第１挿入孔列が配設されているとともに、前記第１ダウエルピン列の内側に配置される第２ダウエルピン列に対応して第２挿入孔列が配設されており、
前記第１挿入孔列は、前記第１ダウエルピン列の複数の第１ダウエルピンに対応して設けられた複数の第１挿入孔から構成され、前記第２挿入孔列は、前記第２ダウエルピン列の複数の第２ダウエルピンに対応して設けられた複数の第２挿入孔から構成されており、
また、前記支持基台における上面の支持領域の片側側部及び他側側部には、上方に突出する片側係合突条及び他側係合突条が設けられ、前記片側係合突条の内側面には、前記第２挿入孔列の前記複数の第２挿入孔に対応して複数の係合補助突条が設けられており、
更に、前記第１挿入孔列の前記複数の第１挿入孔は、前記支持基台の前記支持領域における前記他側係合突条の内側に配設され、前記第２挿入孔列の前記複数の第２挿入孔は、前記支持基台における前記支持領域の幅方向の中央線上に配置され、前記支持領域の前記複数の係合補助突条は、前記第２挿入孔列の対応する第２挿入孔に向けて内側に延びていることを特徴とする歯科技工用作業模型の支持基台。